(57)【特許請求の範囲】
【請求項１】
送信すべき非圧縮映像信号を出力する映像信号出力部と、
受信装置から伝送路を介して該受信装置が対応可能な圧縮方式を示す情報を取得する圧縮方式情報取得部と、
上記映像信号出力部から出力される非圧縮映像信号に対して、上記圧縮方式情報取得部で取得された圧縮方式情報により示される圧縮方式に対応した圧縮方式で圧縮処理を施して圧縮映像信号を出力する映像信号圧縮部と、
上記映像信号出力部から出力される非圧縮映像信号または上記映像信号圧縮部から出力される圧縮映像信号を選択する映像信号選択部と、
上記映像信号選択部で選択された映像信号を有線または無線の伝送路を介して受信装置に送信する映像信号送信部と、
上記映像信号圧縮部および上記映像信号選択部の動作を制御する送信制御部と、
上記送信制御部による上記映像信号圧縮部および上記映像信号選択部の制御情報を、上記伝送路を介して上記受信装置に供給する圧縮情報供給部とを備え、
上記送信制御部は、
上記送信すべき非圧縮映像信号のビットレートを第１のビットレートとし、上記伝送路の伝送ビットレートを第２のビットレートとするとき、
上記第１のビットレートが上記第２のビットレートを超えていない場合には、上記映像信号選択部で上記非圧縮映像信号が選択されるように制御し、
上記第１のビットレートが上記第２のビットレートを超える場合には、上記映像信号圧縮部が上記圧縮方式情報取得部で取得された圧縮方式情報で示される圧縮方式に対応可能であるとき、上記映像信号選択部で上記圧縮映像信号が選択されるように制御すると共に、上記圧縮映像信号のビットレートが上記第２のビットレートより低くなるように、上記映像信号圧縮部の少なくとも圧縮比または圧縮方式を制御する
映像信号送信装置。
【請求項２】
上記受信装置から上記伝送路を介して該受信装置が取り扱う映像信号のフォーマット情報を取得する映像フォーマット情報取得部を備え、
上記映像信号出力部は、上記映像フォーマット情報取得部で取得されたフォーマット情報が示すフォーマットの非圧縮映像信号を出力し、
上記送信制御部は、上記映像フォーマット情報取得部で取得されたフォーマット情報に基づいて、上記第１のビットレートを求める
請求項１に記載の映像信号送信装置。
【請求項３】
上記送信制御部は、
上記第１のビットレートが上記第２のビットレートを超える場合であって、上記映像信号圧縮部が上記圧縮方式情報取得部で取得された圧縮方式情報で示される圧縮方式に対応可能でないとき、
上記映像信号選択部で上記非圧縮映像信号が選択されるように制御すると共に、上記映像信号出力部から出力される非圧縮映像信号の少なくとも解像度、ビット深度またはフレームレートを小さくして、該非圧縮映像信号のビットレートが上記第２のビットレートより低くなるように制御する
請求項１に記載の映像信号送信装置。
【請求項４】
上記送信制御部は、
上記第１のビットレートが上記第２のビットレートを超える場合であって、上記映像信号圧縮部が上記圧縮方式情報取得部で取得された圧縮方式情報で示される複数の圧縮方式に対応可能であるとき、
上記映像信号圧縮部で上記非圧縮映像信号に対して圧縮処理を行う際の圧縮方式として、可逆方式の圧縮方式が優先的に使用されるように制御する
請求項１に記載の映像信号送信装置。
【請求項５】
上記受信装置から上記伝送路を介して上記伝送路の状態を示す伝送路情報を取得する伝送路情報取得部と、
上記伝送路情報取得部で取得された上記伝送路情報に基づいて、上記映像信号送信部により上記受信装置に送信される映像信号のビットレートを調整するビットレート調整部をさらに備える
請求項１に記載の映像信号送信装置。
【請求項６】
上記伝送路情報取得部で取得される伝送路情報は、上記受信装置が有する、該受信装置が取り扱う映像信号のフォーマット情報が記憶された記憶部から読み出された映像信号のフォーマット情報である
請求項５に記載の映像信号送信装置。
【請求項７】
上記記憶部に記憶された上記映像信号のフォーマット情報の変更があるとき、上記伝送路情報取得部は、上記受信装置から、上記記憶部に記憶された上記映像信号のフォーマット情報を取得する
請求項６に記載の映像信号送信装置。
【請求項８】
上記伝送路情報取得部は、上記記憶部に記憶された上記映像信号のフォーマット情報の変更を、上記伝送路を構成する所定ラインの電圧変化により認識する
請求項７に記載の映像信号送信装置。
【請求項９】
上記映像信号送信部は、
上記映像信号選択部で選択された映像信号を、複数チャネルで、差動信号により、上記伝送路を介して送信する
請求項１に記載の映像信号送信装置。
【請求項１０】
送信すべき非圧縮映像信号を出力する映像信号出力ステップと、
受信装置から伝送路を介して該受信装置が対応可能な圧縮方式を示す情報を取得する圧縮方式情報取得ステップと、
上記映像信号出力ステップで出力される非圧縮映像信号に対して、上記圧縮方式情報取得ステップで取得された圧縮方式情報により示される圧縮方式に対応した圧縮方式で圧縮処理を施して圧縮映像信号を出力する映像信号圧縮ステップと、
上記映像信号出力ステップで出力される非圧縮映像信号または上記映像信号圧縮ステップで出力される圧縮映像信号を選択する映像信号選択ステップと、
上記映像信号選択ステップで選択された映像信号を有線または無線の伝送路を介して受信装置に送信する映像信号送信ステップと、
上記映像信号圧縮ステップおよび上記映像信号選択ステップの動作を制御する送信制御ステップと、
上記送信制御ステップによる上記映像信号圧縮ステップおよび上記映像信号選択ステップの制御情報を上記伝送路を介して上記受信装置に供給する圧縮情報供給ステップとを有し、
上記送信制御ステップでは、
上記送信すべき非圧縮映像信号のビットレートを第１のビットレートとし、上記伝送路の伝送ビットレートを第２のビットレートとするとき、
上記第１のビットレートが上記第２のビットレートを超えていない場合には、上記映像信号選択ステップで上記非圧縮映像信号が選択されるように制御し、
上記第１のビットレートが上記第２のビットレートを超える場合には、上記映像信号圧縮ステップが上記圧縮方式情報取得ステップで取得された圧縮方式情報で示される圧縮方式に対応可能であるとき、上記映像信号選択ステップで上記圧縮映像信号が選択されるように制御すると共に、上記圧縮映像信号のビットレートが上記第２のビットレートより低くなるように、上記映像信号圧縮ステップの少なくとも圧縮比または圧縮方式を制御する
映像信号送信方法。
【請求項１１】
送信すべき非圧縮映像信号を出力する映像信号出力部と、
受信装置から伝送路を介して該受信装置が対応可能な圧縮方式を示す情報を取得する圧縮方式情報取得部と、
上記映像信号出力部から出力される非圧縮映像信号に対して、上記圧縮方式情報取得部で取得された圧縮方式情報により示される圧縮方式に対応した圧縮方式で圧縮処理を施して圧縮映像信号を出力する映像信号圧縮部と、
上記映像信号出力部から出力される非圧縮映像信号または上記映像信号圧縮部から出力される圧縮映像信号を選択する映像信号選択部と、
上記映像信号選択部で選択された映像信号を有線または無線の伝送路を介して受信装置に送信する映像信号送信部と、
上記映像信号圧縮部および上記映像信号選択部の動作を制御する送信制御部と、
上記送信制御部による上記映像信号圧縮部および上記映像信号選択部の制御情報を、上記伝送路を介して上記受信装置に供給する圧縮情報供給部とを備え、
上記伝送路は無線伝送路であって、
上記送信制御部は、
複数の送信方向に対する上記伝送路の伝送ビットレートの情報を有し、
上記映像信号送信部が第１の方向から第２の方向に送信方向の切り替えを行うとき、上記第２の方向の伝送ビットレートに基づいて、上記映像信号圧縮部および上記映像信号選択部の動作を制御する
映像信号送信装置。
【請求項１２】
送信すべき非圧縮映像信号を出力する映像信号出力ステップと、
受信装置から伝送路を介して該受信装置が対応可能な圧縮方式を示す情報を取得する圧縮方式情報取得ステップと、
上記映像信号出力ステップで出力される非圧縮映像信号に対して、上記圧縮方式情報取得ステップで取得された圧縮方式情報により示される圧縮方式に対応した圧縮方式で圧縮処理を施して圧縮映像信号を出力する映像信号圧縮ステップと、
上記映像信号出力ステップで出力される非圧縮映像信号または上記映像信号圧縮ステップで出力される圧縮映像信号を選択する映像信号選択ステップと、
上記映像信号選択ステップで選択された映像信号を有線または無線の伝送路を介して受信装置に送信する映像信号送信ステップと、
上記映像信号圧縮ステップおよび上記映像信号選択ステップの動作を制御する送信制御ステップと、
上記送信制御ステップによる上記映像信号圧縮ステップおよび上記映像信号選択ステップの制御情報を上記伝送路を介して上記受信装置に供給する圧縮情報供給ステップとを有し、
上記伝送路は無線伝送路であって、
上記送信制御ステップでは、
上記映像信号送信ステップで第１の方向から第２の方向に送信方向の切り替えを行うとき、上記第２の方向の伝送ビットレートに基づいて、上記映像信号圧縮ステップおよび上記映像信号選択ステップの動作を制御する
映像信号送信方法。
【発明の詳細な説明】
【技術分野】
【０００１】
この発明は、映像信号送信装置および映像信号送信方法に関する。
【背景技術】
【０００２】
ケーブルやワイヤレス技術により非圧縮（ベースバンド）の映像信号を伝送するシステムにおいて、その伝送路の最大伝送ビットレートには上限があり、上限伝送ビットレートを上回るようなビットレートの非圧縮映像信号は伝送することができない。
【０００３】
現在、ベースバンド伝送システムでは、１９２０×１０８０  ６０ｐまでを伝送する様に規定されている。しかし、今後、ＰＣ（Personal Computer）のグラフィックカードではＱＷＸＧＡ（２５６０×１６００）、ＱＳＸＧＡ（２５６０×２０４８）、ＱＵＸＧＡ（３２００×２４００）、ＱＷＵＸＧＡ（３８４０×２４００）の規格に対応したものが考えられ、また、放送・シネマでは４Ｋ×２Ｋ（４０９６×２０４８）、あるいは４×２Ｋ（３８４０×２１６０）といった高精細な画面が考えられる。
【０００４】
その際に、１９２０×１０８０を超える解像度の非圧縮映像信号の伝送が要求される。しかし、現在のベースバンド伝送システムでは、上述したように、１９２０×１０８０  ６０ｐまでを伝送するように規定されており、１９２０×１０８０を超える解像度の非圧縮映像信号を伝送するためには、何らかのデータ圧縮手段が必要となる。
【０００５】
例えば、特許文献１には、ワイヤレス伝送の際、変調方式を変更したり、伝送周波数を変更したりすることで、伝送ビットレートを制御することが記載されている。また、例えば、特許文献２には、送信データに帯域圧縮や秘匿処理等の通信モードの識別データが付加されており、着信側では通信モードの識別データに基づいて着信処理をすることが記載されている。
【０００６】
また、例えば、特許文献３には、フレーム内圧縮されたキーフレームとフレーム間圧縮された内挿フレームとを生成する映像圧縮方式を用いて映像を符号化するクライアントとサーバとを有する双方向画像通信システムにおいて、サーバからクライアントへの送信状態に基づき、クライアントにおける映像符号化のリフレッシュレート値を決定することで、サーバとクライアント間の帯域を有効利用することが記載されている。
【特許文献１】特開２００７−３７０２２９号公報
【特許文献２】特開平１１−８６２６号公報
【特許文献３】特開２００６−１０９０１１号公報
【発明の開示】
【発明が解決しようとする課題】
【０００７】
上述の特許文献１の技術では、ワイヤレスの有限の範囲を超えるビットレートを持つ映像信号を伝送することはできない。また、特許文献２の技術では、着信側における通信モードの対応状況について発信側では関知しないため、メーカ間の互換性が得られない。また、特許文献３の技術では、圧縮映像信号について言及されており、非圧縮映像信号についての記載はない。
【０００８】
なお、伝送路の伝送ビットレートは、当該伝送路が有線であっても無線であっても、その状態が変化することで変動する。例えば、伝送路がケーブルで構成される場合、当該ケーブルの劣化（曲がり、ねじれ、断線）やケーブル長による信号減衰、あるいはコネクタ部の接触不良などで、受信信号品質が劣化し、伝送路の伝送ビットレートは実質的に低下する。また、例えば、伝送路が無線である場合には、障害物や妨害波の存在等で、受信信号品質が劣化し、伝送路の伝送ビットレートは実質的に低下する。したがって、伝送路の伝送ビットレートを判断するにあたっては、伝送路の状態を考慮する必要がある。
【０００９】
この発明の目的は、伝送路の伝送ビットレート内で、所望のビットレートの映像信号を良好に送信可能とすることにある。また、この発明の目的は、実際の伝送路の状態に応じた最適な伝送状態を実現可能とすることにある。
【課題を解決するための手段】
【００１０】
この発明の概念は、
送信すべき非圧縮映像信号を出力する映像信号出力部と、
受信装置から伝送路を介して該受信装置が対応可能な圧縮方式を示す情報を取得する圧縮方式情報取得部と、
上記映像信号出力部から出力される非圧縮映像信号に対して、上記圧縮方式情報取得部で取得された圧縮方式情報により示される圧縮方式に対応した圧縮方式で圧縮処理を施して圧縮映像信号を出力する映像信号圧縮部と、
上記映像信号出力部から出力される非圧縮映像信号または上記映像信号圧縮部から出力される圧縮映像信号を選択する映像信号選択部と、
上記映像信号選択部で選択された映像信号を有線または無線の伝送路を介して受信装置に送信する映像信号送信部と、
上記映像信号圧縮部および上記映像信号選択部の動作を制御する送信制御部と、
上記送信制御部による上記映像信号圧縮部および上記映像信号選択部の制御情報を、上記伝送路を介して上記受信装置に供給する圧縮情報供給部と
を備える映像信号送信装置にある。
【００１１】
この発明において、映像信号出力部から送信すべき非圧縮映像信号が出力される。また、圧縮方式情報取得部により、受信装置から伝送路を介して、当該受信装置が対応可能な圧縮方式を示す情報が取得される。映像信号圧縮部では、映像信号出力部から出力される非圧縮映像信号に対して、受信装置が対応可能な圧縮方式で圧縮処理が施されて圧縮映像信号が出力される。ここで、非圧縮映像信号のビットレートに対して、圧縮映像信号のデータ量は少なくなり、そのビットレートは小さくなる。
【００１２】
映像信号選択部により映像信号出力部から出力される非圧縮映像信号または映像信号圧縮部から出力される圧縮映像信号が選択され、選択された映像信号は、映像信号送信部により、有線または無線の伝送路を介して受信装置に送信される。例えば、映像信号は、複数チャネルで、差動信号により、伝送路を介して受信装置に送信される。この場合、映像信号圧縮部および映像信号選択部の制御情報が伝送路を介して受信装置に供給され、受信装置で映像信号を良好に受信するための制御に用いられる。
【００１３】
このように、非圧縮映像信号またはこの非圧縮映像信号に対して受信装置が対応可能な圧縮方式で圧縮処理を施して得られた圧縮映像信号が選択的に送信される構成であるため、伝送路の伝送ビットレート内で、所望のビットレートの映像信号を良好に送信できる。
【００１４】
この発明は、例えば、送信制御部は、送信すべき非圧縮映像信号のビットレートを第１のビットレートとし、伝送路の伝送ビットレートを第２のビットレートとするとき、第１のビットレートが第２のビットレートを超えていない場合には、映像信号選択部で非圧縮映像信号が選択されるように制御し、第１のビットレートが第２のビットレートを超える場合には、映像信号圧縮部が圧縮方式情報取得部で取得された圧縮方式情報で示される圧縮方式に対応可能であるとき、映像信号選択部で圧縮映像信号が選択されるように制御すると共に、圧縮映像信号のビットレートが第２のビットレートより低くなるように、映像信号圧縮部の少なくとも圧縮比または圧縮方式を制御する、ようにされてもよい。
【００１５】
また、この発明は、例えば、受信装置から伝送路を介して、この受信装置が取り扱う映像信号のフォーマット情報を取得する映像フォーマット情報取得部を備え、映像信号出力部は、この映像フォーマット情報取得部で取得されたフォーマット情報が示すフォーマットの非圧縮映像信号を出力し、送信制御部は、映像フォーマット情報取得部で取得されたフォーマット情報に基づいて、第１のビットレートを求める、ようにされてもよい。
【００１６】
また、この発明は、例えば、送信制御部は、第１のビットレートが第２のビットレートを超える場合であって、映像信号圧縮部が圧縮方式情報取得部で取得された圧縮方式情報で示される圧縮方式に対応可能でないとき、映像信号選択部で非圧縮映像信号が選択されるように制御すると共に、映像信号出力部から出力される非圧縮映像信号の少なくとも解像度、ビット深度またはフレームレートを小さくして、この非圧縮映像信号のビットレートが第２のビットレートより低くなるように制御する、ようにされてもよい。この場合、送信すべき非圧縮映像信号の解像度、ビット深度またはフレームレートが小さくされるが、少なくとも、受信装置で利用可能な状態で映像信号を送信することができる。
【００１７】
また、この発明は、例えば、送信制御部は、第１のビットレートが第２のビットレートを超える場合であって、映像信号圧縮部が圧縮方式情報取得部で取得された圧縮方式情報で示される複数の圧縮方式に対応可能であるとき、映像信号圧縮部で非圧縮映像信号に対して圧縮処理を行う際の圧縮方式として、可逆方式の圧縮方式が優先的に使用されるように制御する、ようにされてもよい。可逆方式の圧縮方式が優先的に使用されることで、画質の劣化を抑制できる。
【００１８】
また、この発明は、例えば、受信装置から伝送路を介して伝送路の状態を示す伝送路情報を取得する伝送路情報取得部と、この伝送路情報取得部で取得された伝送路情報に基づいて、映像信号送信部により受信装置に送信される映像信号のビットレートを調整するビットレート調整部をさらに備える、ようにされてもよい。
【００１９】
伝送路の状態によっては、伝送路の実質的な伝送ビットレートは、理論値から低下したものとなる。送信映像信号のビットレートが伝送路情報に基づいて調整されることで、当該送信映像信号のビットレートは伝送路の実質的な伝送ビットレートを超えないように動的に調整される。これにより、実際の伝送路の状態に応じた最適な伝送状態が実現される。
【００２０】
ここで、ビットレート調整は、送信映像信号のフォーマット変更、さらには圧縮方式または圧縮比の変更により行われる。例えば、伝送路情報としてのビットエラーレート情報で示されるビットエラーレートが一定値より高くなるときは、送信映像信号のフォーマットがビットレートの低いフォーマットに変更されるか、あるいは非圧縮映像信号から圧縮映像信号に変更され、さらには、圧縮方式または圧縮比が制御されて、送信映像信号のビットレートが低くされる。
【００２１】
例えば、伝送路情報取得部で取得される伝送路情報は、受信装置が有する、この受信装置が取り扱う映像信号のフォーマット情報が記憶された記憶部から読み出された映像信号のフォーマット情報とされる。この場合、ビットレート調整部では、例えば、映像信号出力部から出力される映像信号のフォーマットが、伝送路情報としての映像信号のフォーマット情報で示されるフォーマットに変更されることで、送信映像信号のビットレート調整が簡単に行われる。
【００２２】
なお、受信装置では、例えば、伝送路の状態を示すパラメータであるエラーパラメータ、例えば、受信信号レベル、ビットエラーレート等が測定され、この測定されたエラーパラメータに基づいて、記憶部に記憶された映像信号のフォーマット情報の更新が行われる。そのため、当該記憶部には、伝送路の実質的な伝送ビットレートを超えないで済む、映像信号のフォーマットを示す情報が記憶されている。
【００２３】
例えば、伝送路情報取得部は、記憶部に記憶された映像信号のフォーマット情報の変更があるとき、受信装置から、記憶部に記憶された映像信号のフォーマット情報を取得する、ようにされる。これにより、伝送路情報取得部は、記憶部に記憶された映像信号のフォーマット情報に変更があった場合のみ、当該フォーマット情報を取得でき、取得動作の無駄を防止できる。例えば、受信装置は、記憶部に記憶された映像信号のフォーマット情報を変更する場合、伝送路の所定ライン、例えばＨＰＤラインの電圧を変化させて、送信装置にその変更を通知する。伝送路情報取得部は、この所定ラインの電圧変化により、記憶部に記憶された映像信号のフォーマット情報が変更されたことを認識する。
【００２４】
また、この発明において、例えば、伝送路は無線伝送路であって、送信制御部は、複数の送信方向に対する伝送路の伝送ビットレートの情報を有し、映像信号送信部が第１の方向から第２の方向に送信方向の切り替えを行うとき、第２の方向の伝送ビットレートに基づいて、映像信号圧縮部および映像信号選択部の動作を制御する、ようにされてもよい。この場合、映像信号送信部で第１の方向から第２の方向に送信方向の切り替えが行われるとき、伝送ビットレートが低下したとしても、伝送ビットレートの情報に基づいて、送信すべき映像信号が非圧縮映像信号から圧縮映像信号に変更され、さらには、圧縮方式または圧縮比が制御されることで、映像信号を良好に送信できる。
【００２５】
また、この発明の概念は、
送信すべき映像信号を出力する映像信号出力部と、
上記映像信号出力部から出力される映像信号を有線または無線の伝送路を介して受信装置に送信する映像信号送信部と、
上記受信装置から上記伝送路を介して上記伝送路の状態を示す伝送路情報を取得する伝送路情報取得部と、
上記伝送路情報取得部で取得された上記伝送路情報に基づいて、上記映像信号出力部から出力される映像信号のビットレートを調整するビットレート調整部と
を備える映像信号送信装置にある。
【００２６】
この発明において、映像信号出力部から送信すべき映像信号が出力される。この映像信号は、映像信号送信部により、有線または無線の伝送路を介して受信装置に送信される。例えば、映像信号は、複数チャネルで、差動信号により、伝送路を介して受信装置に送信される。また、伝送路情報取得部により、受信装置から伝送路を介して伝送路の状態を示す伝送路情報が取得される。
【００２７】
この伝送路情報に基づいて、ビットレート受信部により、受信装置に送信される映像信号のビットレートが調整される。伝送路の状態によっては、伝送路の実質的な伝送ビットレートは、理論値から低下したものとなる。送信映像信号のビットレートが伝送路情報に基づいて調整されることで、当該送信映像信号のビットレートは伝送路の実質的な伝送ビットレートを超えないように動的に調整される。これにより、実際の伝送路の状態に応じた最適な伝送状態が実現される。
【００２８】
ここで、ビットレート調整は、送信映像信号のフォーマット変更、さらには圧縮方式または圧縮比の変更により行われる。例えば、伝送路情報としてのビットエラーレート情報で示されるビットエラーレートが一定値より高くなるときは、送信映像信号のフォーマットがビットレートの低いフォーマットに変更されるか、あるいは非圧縮映像信号から圧縮映像信号に変更され、さらには、圧縮方式または圧縮比が制御されて、送信映像信号のビットレートが低くされる。
【００２９】
例えば、伝送路情報取得部で取得される伝送路情報は、受信装置が有する、この受信装置が取り扱う映像信号のフォーマット情報が記憶された記憶部から読み出された映像信号
のフォーマット情報とされる。この場合、ビットレート調整部では、例えば、映像信号出力部から出力される映像信号のフォーマットが、伝送路情報としての映像信号のフォーマット情報で示されるフォーマットに変更されることで、送信映像信号のビットレート調整が簡単に行われる。
【００３０】
なお、受信装置では、例えば、伝送路の状態を示すパラメータであるエラーパラメータ、例えば、受信信号レベル、ビットエラーレート等が測定され、この測定されたエラーパラメータに基づいて、記憶部に記憶された映像信号のフォーマット情報の更新が行われる。そのため、当該記憶部には、伝送路の実質的な伝送ビットレートを超えないで済む、映像信号のフォーマットを示す情報が記憶されている。
【００３１】
例えば、伝送路情報取得部は、記憶部に記憶された映像信号のフォーマット情報の変更があるとき、受信装置から、記憶部に記憶された映像信号のフォーマット情報を取得する、ようにされる。これにより、伝送路情報取得部は、記憶部に記憶された映像信号のフォーマット情報に変更があった場合のみ、当該フォーマット情報を取得でき、無駄な取得動作を回避できる。例えば、受信装置は、記憶部に記憶された映像信号のフォーマット情報を変更する場合、伝送路の所定ライン、例えばＨＰＤラインの電圧を変化させて、送信装置にその変更を通知する。伝送路情報取得部は、この所定ラインの電圧変化により、記憶部に記憶された映像信号のフォーマット情報が変更されたことを認識する。
【００３２】
また、この発明の概念は、
送信装置から、有線または無線の伝送路を介して送られてくる映像信号受信部と、
上記映像信号受信部で受信された映像信号が圧縮映像信号であるとき、該圧縮映像信号に対して伸長処理を施して非圧縮映像信号を出力する映像信号伸長部と、
上記映像信号受信部で受信された映像信号または上記映像信号伸長部から出力された映像信号を選択する映像信号選択部と、
上記送信装置から、少なくとも、上記映像信号受信部で受信された映像信号が非圧縮映像信号であるか圧縮映像信号であるかを示す情報、および上記映像信号受信部で受信された映像信号が圧縮映像信号である場合には圧縮方式を示す情報を含む圧縮情報を取得する圧縮情報取得部と、
上記圧縮情報取得部で取得された圧縮情報に基づいて、上記映像信号伸長部および上記映像信号選択部の動作を制御する受信制御部と、
上記映像信号伸長部が対応可能な圧縮方式を示す情報を上記送信装置に供給する圧縮方式情報供給部と
を備える映像信号受信装置にある。
【００３３】
この発明においては、映像信号受信部により、送信装置から有線または無線の伝送路を介して送られてくる映像信号が受信される。例えば、映像信号受信部では、送信装置から、複数チャネルで、差動信号により、伝送路を介して、映像信号が受信される。受信された映像信号が圧縮映像信号であるとき、映像信号伸長部により、この圧縮映像信号に対して伸長処理が施されて非圧縮映像信号が出力される。そして、受信映像信号として、受信された映像信号が非圧縮映像信号であるときはその映像信号が選択され、受信された映像信号が圧縮映像信号であるときは映像信号伸長部の伸長処理で得られた非圧縮映像信号が選択される。
【００３４】
この場合、圧縮情報取得部で取得された圧縮情報に基づいて、映像信号伸長部および映像信号選択部の動作が制御されるので、送信装置から送られてくる映像信号が非圧縮映像信号であるか圧縮映像信号であるかによらず、受信映像信号を良好に得ることができる。また、映像信号伸長部が対応可能な圧縮方式を示す情報を送信装置に送信するようにされているので、送信装置で圧縮処理が行われる場合、その圧縮方式を自身が対応可能な圧縮方式とさせることができる。
【００３５】
この発明は、例えば、自身が取り扱う映像信号のフォーマット情報（解像度、ビット深度、フレームレート等の情報）を、伝送路を介して送信装置に供給する映像フォーマット情報供給部を備える、ようにされてもよい。これにより、送信装置側から自身が取り扱う映像フォーマットの映像信号を送信させることができる。
【００３６】
また、この発明は、例えば、伝送路の状態を示す伝送路情報を、伝送路を介して送信装置に供給する伝送路情報供給部をさらに備える、ようにされてもよい。例えば、伝送路の状態を示すパラメータであるエラーパラメータ、例えば、受信信号レベル、ビットエラーレート等が測定され、このエラーパラメータに対応した情報が伝送路情報として送信装置に供給される。
【００３７】
伝送路の状態によっては、伝送路の実質的な伝送ビットレートは、理論値から低下したものとなる。上述のように受信装置から送信装置に伝送路の状態を示す伝送路情報が送信されることで、送信装置では、送信映像信号のビットレートを伝送路情報に基づいて調整でき、当該送信映像信号のビットレートを伝送路の実質的な伝送ビットレートを超えないように動的に調整することが可能となる。これにより、実際の伝送路の状態に応じた最適な伝送状態が実現される。
【００３８】
また、この発明は、例えば、自身が取り扱う映像信号のフォーマット情報が記憶された記憶部をさらに備え、伝送路情報供給部は、エラーパラメータ測定部で測定されたエラーパラメータに基づいて、記憶部に記憶された映像信号のフォーマット情報を変更し、この変更された映像信号のフォーマット情報を伝送路情報として送信装置に供給する、ようにされてもよい。この場合、記憶部には、伝送路の実質的な伝送ビットレートを超えないで済む、映像信号のフォーマットを示す情報が記憶される。
【００３９】
このように記憶部に記憶された映像信号のフォーマット情報は送信装置に伝送路情報として供給されることで、送信装置では、映像信号出力部から出力される映像信号のフォーマットを当該フォーマット情報で示されるフォーマットに変更して、送信映像信号のビットレート調整を簡単に行うことができる。
【００４０】
例えば、伝送路情報供給部は、記憶部に記憶された映像信号のフォーマット情報を変更したとき、伝送路を構成する所定ラインの電圧を変化させて、この映像信号のフォーマット情報の変更を送信装置に通知する、ようにされてもよい。これにより、伝送路情報供給部は、記憶部に記憶された映像信号のフォーマット情報に変更があって、送信装置で取得される場合のみ、当該フォーマット情報を供給でき、無駄な供給動作を回避できる。
【００４１】
また、この発明の概念は、
送信装置から有線または無線の伝送路を介して送られてくる映像信号を受信する映像信号受信部と、
上記伝送路の状態を示す伝送路情報を、上記伝送路を介して上記送信装置に供給する伝送路情報供給部と
を備える映像信号受信装置にある。
【００４２】
この発明において、映像信号受信部により、送信装置から有線または無線の伝送路を介して送られてくる映像信号が受信される。例えば、映像信号受信部では、送信装置から、複数チャネルで、差動信号により、伝送路を介して、映像信号が受信される。
【００４３】
伝送路情報供給部により、伝送路の状態を示す伝送路情報が、伝送路を介して送信装置に供給される。例えば、伝送路の状態を示すパラメータである、受信信号レベル、ビットエラーレート等のエラーパラメータが測定され、このエラーパラメータに対応した情報が伝送路情報として送信装置に供給される。
【００４４】
伝送路の状態によっては、伝送路の実質的な伝送ビットレートは、理論値から低下したものとなる。上述のように受信装置から送信装置に伝送路の状態を示す伝送路情報が供給されることで、送信装置では、送信映像信号のビットレートを伝送路情報に基づいて調整でき、当該送信映像信号のビットレートを伝送路の実質的な伝送ビットレートを超えないように動的に調整することが可能となる。これにより、実際の伝送路の状態に応じた最適な伝送状態が実現される。
【００４５】
また、この発明は、例えば、自身が取り扱う映像信号のフォーマット情報が記憶された記憶部をさらに備え、伝送路情報供給部は、エラーパラメータ測定部で測定されたエラーパラメータに基づいて、記憶部に記憶された映像信号のフォーマット情報を変更し、この変更された映像信号のフォーマット情報を伝送路情報として送信装置に供給する、ようにされてもよい。この場合、記憶部には、伝送路の実質的な伝送ビットレートを超えないで済む、映像信号のフォーマットを示す情報が記憶される。
【００４６】
このように記憶部に記憶された映像信号のフォーマット情報が送信装置に伝送路情報として供給されることで、送信装置では、映像信号出力部から出力される映像信号のフォーマットを当該フォーマット情報で示されるフォーマットに変更して、送信映像信号のビットレート調整を簡単に行うことができる。
【００４７】
例えば、伝送路情報供給部は、記憶部に記憶された映像信号のフォーマット情報を変更したとき、伝送路を構成する所定ラインの電圧を変化させて、この映像信号のフォーマット情報の変更を送信装置に通知する、ようにされてもよい。これにより、伝送路情報供給部は、記憶部に記憶された映像信号のフォーマット情報に変更があって、送信装置で取得される場合のみ、当該フォーマット情報を供給でき、無駄な供給動作を回避できる。
【発明の効果】
【００４８】
この発明の映像信号送信装置によれば、非圧縮映像信号またはこの非圧縮映像信号に対して受信装置が対応可能な圧縮方式で圧縮処理を施して得られた圧縮映像信号を選択的に送信するものであり、伝送路の伝送ビットレート内で、所望のビットレートの映像信号を良好に送信できる。
【００４９】
また、この発明の映像信号受信装置によれば、自身が対応可能な圧縮方式の情報を送信装置に供給すると共に、送信装置から取得される圧縮情報に基づいて伸長処理、信号選択処理等を制御するものであり、送られてくる映像信号が非圧縮映像信号であるか圧縮映像信号であるかによらず、受信映像信号を良好に得ることができる。
【００５０】
また、この発明の映像信号送信装置によれば、受信装置から取得される伝送路情報に基づいて、送信映像信号のビットレートを調整するものであり、送信映像信号のビットレートを伝送路の状態に応じて動的に調整でき、実際の伝送路の状態に応じた最適な伝送状態を実現できる。
【００５１】
また、この発明の映像信号受信装置によれば、伝送路の状態を示す伝送路情報を送信装置に供給するものであり、送信装置から伝送路の状態に応じてビットレートが動的に調整された送信映像信号を受信でき、送信装置から送信されてくる映像信号を品質よく受信できる。
【発明を実施するための最良の形態】
【００５２】
以下、図面を参照しながら、この発明の実施の形態について説明する。図１は、実施の形態としてのＡＶシステム５０の構成例を示している。
【００５３】
このＡＶシステム５０は、ソース機器としてのビデオカメラ１００と、シンク機器としてのテレビ受信機（ＴＶ）２００とを有している。また、ビデオカメラ１００およびテレビ受信機２００は、ＨＤＭＩケーブル３００を介して接続されている。
【００５４】
ビデオカメラ１００には、ＨＤＭＩ送信部（ＨＤＭＩＴＸ）１０２および高速データラインインタフェース１０３が接続されたＨＤＭＩ端子１０１が設けられている。テレビ受信機２００には、ＨＤＭＩ受信部（ＨＤＭＩ ＲＸ）２０２および高速データラインインタフェース２０３が接続されたＨＤＭＩ端子２０１が設けられている。ＨＤＭＩケーブル３００の一端はビデオカメラ１００のＨＤＭＩ端子１０１に接続され、このＨＤＭＩケーブル３００の他端はテレビ受信機２００のＨＤＭＩ端子２０１に接続されている。
【００５５】
テレビ受信機２００のＨＤＭＩ受信部２０２は、ＥＤＩＤ  ＲＯＭ(Read Only Memory)８５を有している。このＥＤＩＤ  ＲＯＭ８５には、テレビ受信機２００の性能（Configuration/capability）に関する情報である、Ｅ−ＥＤＩＤ（EnhancedExtended Display Identification Data）が記憶されている。
【００５６】
この図１に示すＡＶシステム５０においては、ビデオカメラ１００は、テレビ受信機２００に、非圧縮（ベースバンド）映像信号または圧縮映像信号を送信できる。非圧縮映像信号は、ＨＤＭＩのＴＭＤＳ(Transition Minimized Differential Signaling)チャネルを用いて送信される。この場合、非圧縮映像信号は、ビデオカメラ１００のＨＤＭＩ送信部１０２から、ＨＤＭＩケーブル３００を介して、テレビ受信機２００のＨＤＭＩ受信部２０２に供給される。また、圧縮映像信号も、ＨＤＭＩのＴＭＤＳチャネルを用いて送信される。この場合、圧縮映像信号は、ビデオカメラ１００のＨＤＭＩ送信部１０２から、ＨＤＭＩケーブル３００を介して、テレビ受信機２００のＨＤＭＩ受信部２０２に供給される。
【００５７】
図２は、ビデオカメラ１００の構成例を示している。ビデオカメラ１００は、ＨＤＭＩ端子１０１と、ＨＤＭＩ送信部１０２と、高速データラインインタフェース１０３と、制御部１１１と、ユーザ操作部１１２とを有している。また、ビデオカメラ１００は、表示部１１３と、撮像レンズ１１４と、撮像素子（イメージセンサ）１１５と、撮像信号処理部１１６と、コーデック１１７と、記録再生部１１８と、外部端子１２０とを有している。また、ビデオカメラ１００、ｎ個のデータ圧縮部１２１-1〜１２１-nと、スイッチ部１２２と、イーサネットインタフェース（Ethernet I/F）１２３と、ネットワーク端子１２４とを有している。なお、「イーサネット」および「Ｅｔｈｅｒｎｅｔ」は登録商標である。
【００５８】
制御部１１１は、ビデオカメラ１００の各部の動作を制御する。ユーザ操作部１１２および表示部１１３は、ユーザインタフェースを構成し、制御部１１１に接続されている。ユーザ操作部１１２は、ビデオカメラ１００の図示しない筐体に配置されたキー、釦、ダイアル、あるいは表示部１１３の表示面に配置されたタッチパネル、さらにはリモコンの送受信機等で構成されている。表示部１１３は、ＬＣＤ(Liquid Crystal Display)等で構成されている。
【００５９】
撮像素子１１５は、例えば、ＣＣＤ(Charge Coupled Device)イメージセンサ、ＣＭＯＳ(ComplementaryMetal Oxide Semiconductor）イメージセンサ等で構成されている。撮像素子１１５は、撮像レンズ１１４により撮像面に被写体の光学像が結像された状態で撮像処理を行って、撮像信号を出力する。撮像信号処理部１１６は、撮像素子１１５から出力される撮像信号（アナログ信号）に対し、サンプルホールドおよび利得制御、アナログ信号からデジタル信号への変換、さらにホワイトバランス調整、ガンマ補正等を行って、画像データ（映像信号）を生成する。
【００６０】
記録再生部１１８は、コーデック１１７から供給される、画像データ（映像信号）を、例えば、ＭＰＥＧ(Moving Picture Experts Group)方式等でエンコードして得られるエンコードデータを、ＨＤ（Hard Disk）１１９に記録する。また、記録再生部１１８は、ＨＤ１１９からエンコードデータを再生し（読み出し）、コーデック１１７に供給する。
【００６１】
コーデック１１７は、記録再生部１１８から供給されるエンコードデータを、デコードして、非圧縮（ベースバンド）の映像信号を得て、必要に応じて、外部端子１２０を通じて外部装置１３０に供給する。また、コーデック１１７は、撮像信号処理部１１６から、あるいは外部装置１３０から供給される非圧縮の映像信号を、エンコードデータにエンコードし、当該エンコードデータを、記録再生部１１８に供給する。ここで、外部装置１３０は、ＨＤＤレコーダ、パーソナルコンピュータ、ＤＶＤ(Digital Versatile Disc)プレーヤ、ビデオカメラ等である。
【００６２】
また、コーデック１１７は、撮像信号処理部１１６から、あるいは外部装置１３０から供給される非圧縮の映像信号、またはデコードして得られた非圧縮の映像信号を、テレビ受信機２００に送信するために、ＨＤＭＩ送信部１０２、データ圧縮部１２１-1〜１２１-n等に供給する。この意味で、コーデック１１７は、送信すべき非圧縮映像信号を出力する映像信号出力部を構成している。
【００６３】
なお、コーデック１１７は、信号変換部１１７ａを備えており、必要に応じて、上述したようにＨＤＭＩ送信部１０２、データ圧縮部１２１-1〜１２１-n等に供給する非圧縮映像信号の解像度、ビット深度、フレームレート等のフォーマットを、テレビ受信機２００で取り扱われるフォーマット、つまり、テレビ受信機２００で表示可能なフォーマットに変換して出力する。
【００６４】
ＨＤＭＩ送信部１０２は、ＨＤＭＩケーブル３００を介して、テレビ受信機２００のＨＤＭＩ受信部２０２のＥＤＩＤＲＯＭ８５から、テレビ受信機２００の性能情報であるＥ−ＥＤＩＤ（Enhanced Extended Display Identification Data）を、ＤＤＣ（Display Data Channel）を介して読み出す。このＥ−ＥＤＩＤには、テレビ受信機２００で取り扱われる映像信号のフォーマット（解像度、ビット深度、フレームレート等）の情報が含まれている。ＨＤＭＩ送信部１０２は、映像フォーマット情報取得部を構成している。
【００６５】
図３は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【００６６】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【００６７】
拡張ブロックの先頭には、“Ｓｐｅａｋｅｒ  Ａｌｌｏｃａｔｉｏｎ”で表される左右のスピーカに関する情報が配置され、続いて“ＶＩＤＥＯ  ＳＨＯＲＴ”で表される、表示可能な画像サイズ(解像度)、フレームレート、インターレースであるかプログレッシブであるかを示す情報、アスペクト比などの情報が記述されたデータ、“ＡＵＤＩＯ  ＳＨＯＲＴ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【００６８】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【００６９】
図４は、ＶＩＤＥＯ  ＳＨＯＲＴ領域の映像データ例を示している。このＶＩＤＥＯ  ＳＨＯＲＴ領域のＢｙｔｅ＃１からＢｙｔｅ＃Ｌまでに、ＣＥＡ−８６１−Ｄで定義された映像信号フォーマットの内、受信装置（この実施の形態ではテレビ受信機２００）が表示可能なフォーマットが、解像度・フレームレート・縦横比の組み合わせで表記されている。
【００７０】
図５は、Ｖｅｎｄｅｒ  Ｓｐｅｃｉｆｉｃ領域のデータ構造例を示している。このＶｅｎｄｅｒ  Ｓｐｅｃｉｆｉｃ領域には、１バイトのブロックである第０ブロック乃至第Ｎブロックが設けられている。
【００７１】
“Ｖｅｎｄｅｒ  Ｓｐｅｃｉｆｉｃ”で表されるデータの先頭に配置された第０ブロックには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【００７２】
また、第１ブロック乃至第３ブロックには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４ブロックおよび第５ブロックには、”Ａ“、”Ｂ“、”Ｃ“、および”Ｄ“のそれぞれにより表される、２４ｂｉｔのシンク機器の物理アドレスを示す情報が配置される。
【００７３】
第６ブロックには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ  Ｖｉｓｕａｌ  Ｉｎｔｅｒｆａｃｅ）に対応しているかを示すフラグが配置されている。
【００７４】
また、第７ブロックには、“Ｍａｘ−ＴＭＤＳ−Ｃｌｏｃｋ”で表されるＴＭＤＳのピクセルクロックの最大の周波数を示す情報が配置される。さらに、第８ブロックには、“Ｌａｔｅｎｃｙ”で表される映像と音声の遅延情報の有無を示すフラグが配置されている。
【００７５】
また、第９ブロックには、“Ｖｉｄｅｏ  Ｌａｔｅｎｃｙ”で表される、プログレッシブの映像の遅延時間データが配置され、第１０ブロックには、“Ａｕｄｉｏ  Ｌａｔｅｎｃｙ”で表される、プログレッシブの映像に付随する音声の遅延時間データが配置される。さらに、第１１ブロックには、“Ｉｎｔｅｒｌａｃｅｄ  Ｖｉｄｅｏ  Ｌａｔｅｎｃｙ”で表されるインターレースの映像の遅延時間データが配置され、第１２ブロックには、“Ｉｎｔｅｒｌａｃｅｄ  Ａｕｄｉｏ  Ｌａｔｅｎｃｙ”で表される、インターレースの映像に付随する音声の遅延時間データが配置されている。
【００７６】
このように、Ｖｅｎｄｏｒ−Ｓｐｅｃｉｆｉｃ領域の第６ブロック（Ｂｙｔｅ＃６）には、受信装置（この実施の形態ではテレビ受信機２００）が表示できるビット深度情報が記述されている。
【００７７】
データ圧縮部１２１-1〜１２１-nは、それぞれ、コーデック１１７から出力された非圧縮の映像信号を所定の圧縮比をもって圧縮処理し、圧縮された映像信号を出力する。データ圧縮部１２１-1〜１２１-nは、映像信号圧縮部を構成している。データ圧縮部１２１-1〜１２１-nは、それぞれ、互いに異なる圧縮方式でデータ圧縮処理を行う。例えば、圧縮方式としては、「ＲＬＥ（Run Length Encoding）」、「Ｗａｖｅｌｅｔ」、「ＳＢＭ（SuperBit Mapping）」、「ＬＬＶＣ（Low Latency Video Codec）」、「ＺＩＰ」等が考えられる。なお、データ圧縮部１２１-1〜１２１-nで必要とされる圧縮率は小さくてよく、ライン内圧縮処理、あるいはフレーム（フィールド）内圧縮処理を行う圧縮方式で十分であり、画質劣化を抑制するという観点からは可逆圧縮方式が望ましい。例えば、ＲＬＥ、ＺＩＰは可逆圧縮方式である。
【００７８】
スイッチ部１２２は、コーデック１１７から出力された非圧縮映像信号およびデータ圧縮部１２１-1〜１２１-nから出力された圧縮映像信号のうち、いずれかを選択的に取り出し、ＨＤＭＩ送信部１０２に供給する。このスイッチ部１２２は、映像信号選択部を構成している。
【００７９】
ここで、スイッチ部１２２およびデータ圧縮部１２１-1〜１２１-nの動作は、制御部１１１により、以下のように制御される。この場合、コーデック１１７から出力される非圧縮（ベースバンド）映像信号のビットレートをＢＲ１とし、ＨＤＭＩ伝送路の伝送ビットレートをＢＲ２とする。ビットレートＢＲ１は、例えば、（解像度）×（フレームレート）×（３色分のビット深度）の算出式により、求めることができる。また、ＨＤＭＩ伝送路の伝送ビットレート（規格上の上限伝送ビットレート）ＢＲ２は、１０．２Ｇbpsである。
【００８０】
図６は、映像フォーマットとそれに対応する非圧縮映像信号のビットレート（伝送レート）とを示している。上述したように、ＨＤＭＩ伝送路の伝送ビットレートＢＲ２は１０．２Ｇbpsであるので、コーデック１１７から出力される非圧縮映像信号のビットレートＢＲ１が１０．２Ｇbpsを超える場合には（図６に「＊」印を付加したフォーマット参照）、当該非圧縮映像信号をそのままでは送信できない。
【００８１】
ビットレートＢＲ１がビットレートＢＲ２を超えていない場合、スイッチ部１２２は、コーデック１１７から出力される非圧縮映像信号を取り出して、ＨＤＭＩ送信部１０２に、送信すべき映像信号として供給する。一方、ビットレートＢＲ１がビットレートＢＲ２を超える場合、スイッチ部１２２は、コーデック１１７から出力される非圧縮映像信号に対してデータ圧縮部１２１-1〜１２１-nのいずれかでデータ圧縮処理されて得られた圧縮映像信号を取り出して、ＨＤＭＩ送信部１０２に、送信すべき映像信号として供給する。
【００８２】
ここで、制御部１１１は、テレビ受信機２００から供給される、当該テレビ受信機２００が対応可能な圧縮方式を示す情報を参照して、データ圧縮部１２１-1〜１２１-nのうちどのデータ圧縮部を選択するかを決定する。すなわち、制御部１１１は、テレビ受信機２００が対応可能な圧縮方式でデータ圧縮処理を行うと共に、データ圧縮処理で生成された圧縮映像信号のビットレートがＨＤＭＩ伝送路の伝送ビットレートＢＲ２を超えないように圧縮処理を行う、という条件を満たすデータ圧縮部を選択する。この場合、圧縮比の変更が可能なデータ圧縮部にあっては、圧縮比の変更制御により、上述のビットレートの条件を満たすことができる場合がある。
【００８３】
なお、上述の条件を満たすデータ圧縮部が２つ以上存在する場合、制御部１１１は、その中に可逆圧縮方式のデータ圧縮を行うものがあるときは、そのデータ圧縮部を優先的に選択する。このように可逆圧縮方式のデータ圧縮を行うデータ圧縮部が優先的に選択されることで、データ圧縮処理による画質劣化が抑制される。
【００８４】
また、上述したように、ビットレートＢＲ１がビットレートＢＲ２を超える場合には、データ圧縮部１２１-1〜１２１-nのいずれかでデータ圧縮処理されて得られた圧縮映像信号を送信すべき映像信号とすることが基本であるが、データ圧縮部１２１-1〜１２１-nの中にテレビ受信機２００が対応可能な圧縮方式でデータ圧縮処理を行うものが無かった場合、制御部１１１は、以下のような制御を行う。
【００８５】
すなわち、制御部１１１は、コーデック１１７が備える信号変換部１１７ａにより非圧縮映像信号の解像度、ビット深度およびフレームレートのうち、１つまたは複数の項目を小さくして、当該非圧縮映像信号のビットレートＢＲ１が、ＨＤＭＩ伝送路の伝送ビットレートＢＲ２を超えないようにする。そして、制御部１１１は、コーデック１１７から出力される非圧縮映像信号をスイッチ部１２２で取り出し、ＨＤＭＩ送信部１０２に、送信すべき映像信号として供給する。
【００８６】
この実施の形態において、テレビ受信機２００が対応可能な圧縮方式（伸長方式）を示す情報は、例えば、Ｅ−ＥＤＩＤ（図３参照）のＶｅｎｄｅｒ  Ｓｐｅｃｉｆｉｃ領域に、図７に示すように、圧縮方式の対応を示す領域「Ｃｏｍｐｒｅｓｓ  Ｍｅｔｈｏｄ」と「Ｃｏｍｐｒｅｓｓ  Ｍｅｔｈｏｄ  Ｌｅｎｇｔｈ」が新たに定義されることで、ビデオカメラ１００に供給される。
【００８７】
「Ｃｏｍｐｒｅｓｓ  Ｍｅｔｈｏｄ」には、圧縮方式の種類に応じてそれぞれビットが割当てられ、テレビ受信機２００が対応している方式に該当するビットに、例えば「１」を設定する。圧縮方式の種類の数が８を超える場合には、複数のバイトを定義できるように、「Compress Method Length」にバイト数を定義する。この圧縮方式情報を、ビデオカメラ１００が読み出すことで、ビデオカメラ１００は、選択すべき圧縮方式を決定できる。ビデオカメラ１００は、上述したようにテレビ受信機２００側から供給される圧縮方式情報を、例えば、制御部１１１内に内蔵されている記憶部１１１ａに保持しておく。
【００８８】
図８は、テレビ受信機２００が４つの圧縮方式に対応している場合の「Ｃｏｍｐｒｅｓｓ  Ｍｅｔｈｏｄ  Ｌｅｎｇｔｈ」と「Ｃｏｍｐｒｅｓｓ  Ｍｅｔｈｏｄ」の記述例を示している。第８バイトのbit 5〜bit 0に、圧縮方式を定義した数が８個以下であるため、必要なデータ領域が１バイトでよいことを示す。第１３バイトのbit 0には「LLVC(Low Latency Video Codec)」が、bit 1には「ＳＢＭ(Super Bit Mapping)」が、bit 2には「Wavelet」が、bit3には「ＲＬＥ（Run Length Encoding）」に対応していることを示す。
【００８９】
なお、テレビ受信機２００は、ビデオカメラ１００に、上述のテレビ受信機２００が対応可能な圧縮方式（伸長方式）の情報を、Ｅ−ＥＤＩＤのＶｅｎｄｅｒ  Ｓｐｅｃｉｆｉｃ領域ではなく、ＣＥＣラインあるいは高速データラインを通じて、送信するようにしてもよい。
【００９０】
制御部１１１は、テレビ受信機２００からＥ−ＥＤＩＤのＶｅｎｄｅｒ  Ｓｐｅｃｉｆｉｃ領域、ＣＥＣラインあるいは高速データライン等により、圧縮方式情報を受け取るので、ＨＤＭＩ送信部１０２、高速データラインインタフェース１０３等と共に、圧縮情報取得部を構成している。
【００９１】
図９のフローチャートは、制御部１１１における上述の制御動作を示している。まず、制御部１１１は、ステップＳＴ１において、制御処理を開始し、その後に、ステップＳＴ２において、コーデック１１７から出力される非圧縮映像信号のビットレートＢＲ１を上述した算出式により求める。
【００９２】
次に、制御部１１１は、ステップＳＴ３において、コーデック１１７から出力される非圧縮映像信号のビットレートＢＲ１が、ＨＤＭＩ伝送路の伝送ビットレートＢＲ２より大きいか否かを判定する。ＢＲ１≦ＢＲ２であるとき、制御部１１１は、ステップＳＴ４において、映像信号をベースバンドで伝送することを決定する。すなわち、制御部１１１は、コーデック１１７から出力される非圧縮映像信号をスイッチ部１２２で取り出してＨＤＭＩ送信部１０２に供給する。制御部１１１は、ステップＳＴ４の処理の後、ステップＳＴ５において、制御処理を終了する。
【００９３】
一方、ＢＲ１≦ＢＲ２でないとき、制御部１１１は、ステップＳＴ６において、受信側、つまりテレビ受信機２００が対応可能な圧縮方式のデータ圧縮部があるか否かを判定する。受信側対応のデータ圧縮部があるとき、制御部１１１は、ステップＳＴ７において、圧縮して伝送することを決定する。すなわち、制御部１１１は、コーデック１１７から出力される非圧縮映像信号に対して、データ圧縮部１２１-1〜１２１-nのうち受信側対応のデータ圧縮部でデータ圧縮処理をし、その圧縮映像信号をスイッチ部１２２で取り出してＨＤＭＩ送信部１０２に供給する。制御部１１１は、ステップＳＴ７の処理の後、ステップＳＴ５において、制御処理を終了する。
【００９４】
また、制御部１１１は、ステップＳＴ６で受信側対応のデータ圧縮部がないとき、ステップＳＴ８において、コーデック１１７から出力される非圧縮映像信号の解像度等を小さくし、そのビットレートＢＲ１を、ＨＤＭＩ伝送路の伝送ビットレートＢＲ２を超えないようにする。そして、制御部１１１は、ステップＳＴ４において、映像信号をベースバンドで伝送することを決定する。すなわち、制御部１１１は、コーデック１１７から出力される解像度等が小さくされた非圧縮映像信号をスイッチ部１２２で取り出してＨＤＭＩ送信部１０２に供給する。制御部１１１は、ステップＳＴ４の処理の後、ステップＳＴ５において、制御処理を終了する。
【００９５】
制御部１１１は、スイッチ部１２２およびデータ圧縮部１２１-1〜１２１-nの制御情報、さらには上述したコーデック１１７から出力される映像信号のフォーマット情報（解像度等の情報）を、テレビ受信機２００に供給する。スイッチ部１２２およびデータ圧縮部１２１-1〜１２１-nの制御情報（以下、「圧縮情報」という）には、テレビ受信機２００に送信される映像信号が非圧縮映像信号であるか圧縮映像信号であるかを示す情報、およびテレビ受信機２００に送信される映像信号が圧縮映像信号であるときには圧縮方式、圧縮比等の情報が含まれている。
【００９６】
この実施の形態において、制御部１１１は、上述のスイッチ部１２２およびデータ圧縮部１２１-1〜１２１-nの制御情報を、ＡＶＩ（AuxiliaryVideo Information） InfoFrame パケットを用いて、テレビ受信機２００に送信する。このＡＶＩ InfoFrame パケットは、データをソース機器からシンク機器へ伝送し、現在アクティブとなっている映像・音声信号に関する情報を示す。このＡＶＩ InfoFrame パケットは映像フレーム毎に１回伝送されるため、ソース機器側で圧縮方式、圧縮比等が変更になった場合、当該ＡＶＩ InfoFrame パケットのデータを変更することで、シンク機器側に通知できる。
【００９７】
図１０は、ＡＶＩ InfoFrame パケットのデータ構造例を示している。なお、図１０には、ヘッダを除いた状態で示している。因みに、ヘッダには、パケットタイプ情報、バージョン情報、パケット長情報等が記述されている。この実施の形態において、ビデオカメラ１００における圧縮情報は、図１０に示すように、ＡＶＩ InfoFrameパケットの第１４バイトから第Ｍバイトに記述される。
【００９８】
第１４バイトは圧縮方式情報および圧縮比情報のデータ長を表す。また、第１５バイトから第（Ｍ−１）バイトは受信装置から伝送された対応圧縮方式の中で、どの圧縮方式を用いてデータ圧縮処理を行ったかを示す。例えば、第１５バイトが「０ｘ０１」であれば「ＬＬＶＣ（Low Latency Video Codec）」が、「０ｘ０２」であれば「ＳＢＭ（SuperBit Mapping）」が、「０ｘ０４」であれば「Ｗａｖｅｌｅｔ」が、「０ｘ０８」であれば「ＲＬＥ（RunLength Encoding）」が選択されて、データ圧縮処理が行われたことを示す。また、第１６バイトは圧縮比データを示す。
【００９９】
図１１は、ＡＶＩ InfoFrameパケットにおける圧縮方式と圧縮比のデータ例を示している。このデータ例では、圧縮比の整数部と少数点以下の部分を４ビットずつで表現し、整数部が「０ｘ０２」、少数点以下が「０ｘ００」であれば圧縮比は２．０となる。なお、圧縮比の表現は、整数形式ではなく、対数形式であってもよい。
【０１００】
なお、上述したコーデック１１７から出力される非圧縮映像信号のフォーマット（解像度等）の情報は、例えば、ＣＥＣライン、あるいは高速データラインを用いて、ビデオカメラ１００からテレビ受信機２００に供給される。上述のＡＶＩ InfoFrameパケットで送信する圧縮情報に関しても、ＣＥＣライン、あるいは高速データラインで送信するようにしてもよい。
【０１０１】
上述したように、制御部１１１は、圧縮情報を、ＡＶＩ InfoFrameパケット、ＣＥＣライン、高速データライン等を用いて、テレビ受信機２００に送信するので、ＨＤＭＩ送信部１０２、高速データラインインタフェース１０３等と共に、圧縮情報供給部を構成している。
【０１０２】
ＨＤＭＩ送信部１０２は、ＨＤＭＩに準拠した通信により、スイッチ部１２２から供給される映像信号を、ＨＤＭＩケーブル３００を介して、テレビ受信機２００に一方向に送信する。この意味で、ＨＤＭＩ送信部１０２は、映像信号送信部を構成している。このＨＤＭＩ送信部１０２の詳細は後述する。
【０１０３】
高速データラインインタフェース１０３は、ＨＤＭＩケーブル３００を構成する所定のラインを用いた双方向通信のインタフェースである。この高速データラインインタフェース１０３は、イーサネットインタフェース１２３とＨＤＭＩ端子１０１との間に挿入されている。この高速データラインインタフェース１０３は、制御部１０１からイーサネットインタフェース１２３を介して供給される送信データを、ＨＤＭＩ端子１０１からＨＤＭＩケーブル３００を介して、テレビ受信機２００に送信する。
【０１０４】
また、この高速データラインインタフェース１０３は、ＨＤＭＩケーブル３００からＨＤＭＩ端子１０１を介して受信されたテレビ受信機２００からの受信データを、イーサネットインタフェース１２３を介して制御部１１１に供給する。この高速データラインインタフェース１０３の詳細は後述する。
【０１０５】
なお、イーサネットインタフェース１２３には、ネットワーク端子１２４が接続されている。ビデオカメラ１００は、このネットワーク端子１２４を利用して、イーサネットのネットワークに接続可能とされている。
【０１０６】
図１２は、テレビ受信機２００の構成例を示している。テレビ受信機２００は、ＨＤＭＩ端子２０１と、ＨＤＭＩ受信部２０２と、高速データラインインタフェース２０３と、制御部２１１と、ユーザ操作部２１２とを有している。また、テレビ受信機２００は、チューナ２１４と、アンテナ端子２１５と、切り替え器２１６と、表示処理部２１７と、表示部２１８とを有している。また、テレビ受信機２００は、ｍ個のデータ伸長部２１９-1〜２１９-mと、スイッチ部２２０と、イーサネットインタフェース２２１と、ネットワーク端子２２２とを有している。
【０１０７】
制御部２１１は、テレビ受信機２００の各部の動作を制御する。ユーザ操作部２１２は、ユーザインタフェースを構成し、制御部２１１に接続されている。ユーザ操作部２１２は、テレビ受信機２００の図示しない筐体に配置されたキー、釦、ダイアル、あるいはリモコン等で構成される。
【０１０８】
ＨＤＭＩ受信部２０２は、ＨＤＭＩに準拠した通信により、ＨＤＭＩケーブル３００を介して接続されているビデオカメラ１００のＨＤＭＩ送信部１０２から一方向に送信されてくる映像信号を受信する。このＨＤＭＩ受信部２０２は、映像信号受信部を構成する。このＨＤＭＩ受信部２０２の詳細は後述する。このＨＤＭＩ受信部２０２は、受信した映像信号を、スイッチ部２２０およびデータ伸長部２１９-1〜２１９-mに供給する。
【０１０９】
高速データラインインタフェース２０３は、上述したビデオカメラ１００の高速データラインインタフェース１０３と同様に、ＨＤＭＩケーブル３００を構成する所定のラインを用いた双方向通信のインタフェースである。この高速データラインインタフェース２０３は、イーサネットインタフェース２２１とＨＤＭＩ端子２０１との間に挿入されている。
【０１１０】
この高速データラインインタフェース２０３は、制御部２１１からイーサネットインタフェース２２１を介して供給される送信データを、ＨＤＭＩ端子２０１からＨＤＭＩケーブル３００を介してビデオカメラ１００に送信する。また、この高速データラインインタフェース２０３は、ＨＤＭＩケーブル３００からＨＤＭＩ端子２０１を介して受信されたビデオカメラ１００からの受信データを、イーサネットインタフェース２２１を介して制御部２１１に供給する。この高速データラインインタフェース２０３の詳細は後述する。
【０１１１】
なお、イーサネットインタフェース２２１には、ネットワーク端子２２２が接続されている。テレビ受信機２００は、このネットワーク端子２２２を利用して、イーサネットのネットワークに接続可能とされている。
【０１１２】
チューナ２１４は、ＢＳ放送、地上波デジタル放送等を受信する。このチューナ２１４には、アンテナ端子２１５に接続された図示しないアンテナで捕らえられた放送信号が供給される。
【０１１３】
データ伸長部２１９-1〜２１９-mは、ＨＤＭＩ受信部２０２で受信された映像信号が、圧縮された映像信号であり、その圧縮方式に自身が対応しているとき、当該映像信号にデータ伸長処理を施して、非圧縮映像信号を出力する。データ伸長部２１９-1〜２１９-mは、映像信号伸長部を構成している。スイッチ部２２０は、ＨＤＭＩ受信部２０２で受信された映像信号またはデータ伸長部２１９-1〜２１９-mで得られた非圧縮映像信号を、選択的に取り出し、切り替え器２１６に供給する。このスイッチ部２２０は、映像信号選択部を構成している。
【０１１４】
ここで、データ伸長部２１９-1〜２１９-mおよびスイッチ部２２０の動作は、制御部２１１により、以下のように制御される。すなわち、制御部２１１は、上述したように、ビデオカメラ１００から、ＡＶＩ InfoFrameパケット、ＣＥＣライン、あるいは、高速データラインを用いて供給される、圧縮情報および映像信号のフォーマット情報に基づいて、制御を行う。制御部２１１は、上述の圧縮情報および映像信号のフォーマット情報を、記憶部２１１ａに保持する。
【０１１５】
圧縮情報には、ＨＤＭＩ受信部２０２で受信された映像信号が非圧縮映像信号であるか圧縮映像信号であるかを示す情報、およびその映像信号が圧縮映像信号であるときには圧縮方式、圧縮比等の情報が含まれている。制御部１１１は、ＨＤＭＩ受信部２０２、高速データラインインタフェース２０３と共に、圧縮情報取得部を構成している。
【０１１６】
制御部２１１は、上述の圧縮情報等に基づいて、データ伸長部２１９-1〜２１９-mおよびスイッチ部２２０の動作を制御する。すなわち、制御部２１１は、ＨＤＭＩ受信部２０２で受信した映像信号が非圧縮映像信号であるとき、当該非圧縮映像信号をスイッチ部２２０で取り出し、受信映像信号として切り替え器２１６に供給する。
【０１１７】
一方、制御部２１１は、ＨＤＭＩ受信部２０２で受信した映像信号が圧縮映像信号であるとき、ＨＤＭＩ受信部２０２で受信した映像信号に対して、その圧縮方式に対応したデータ伸長部でデータ伸長処理を行い、その結果得られる非圧縮映像信号をスイッチ部２２０で取り出し、受信映像信号として切り替え器２１６に供給する。
【０１１８】
なお、切り替え器２１６は、信号変換部２１６ａを備えている。この信号変換部２１６ａは、上述したようにＨＤＭＩ受信部２０２で受信した映像信号が非圧縮映像信号であっても、この非圧縮映像信号がＨＤＭＩ伝送路の伝送ビットレートとの関係から、ビデオカメラ１００のコーデック１１７の信号変換部１１７ａで解像度等が小さくされているときには、上述したようにビデオカメラ１００から送信されている、当該非圧縮映像信号の解像度等の情報に基づいて、解像度等が当該テレビ受信機２００で取扱可能な、つまりテレビ受信機２００で表示可能な状態に戻される。
【０１１９】
切り替え器２１６は、チューナ２１４で受信された映像信号またはスイッチ部２２０で取り出された映像信号を選択的に取り出し、表示処理部２１７に供給する。表示処理部２１７は、切り替え器２１６で取り出された画像データに対して、表示のための輪郭強調等の処理を行う。表示部２１８は、表示処理部２１７により処理された映像信号による画像を表示する。表示部２１８は、例えば、ＬＣＤ(Liquid Crystal Display)、有機ＥＬ(ElectroLuminescence)、ＰＤＰ(Plasma Display Panel)、ＣＲＴ(Cathode Ray Tube)等で構成される。
【０１２０】
なお、ビデオカメラ１００の説明で述べたように、テレビ受信機２００からビデオカメラ１００には、Ｅ−ＥＤＩＤのＶｅｎｄｅｒ  Ｓｐｅｃｉｆｉｃ領域、ＣＥＣライン、高速データライン等で、テレビ受信機２００が対応可能な圧縮方式（伸長方式）を示す情報が送信される。この意味で、制御部２１１は、ＨＤＭＩ受信部２０２、高速データラインインタフェース２０３と共に、圧縮方式情報供給部を構成している。
【０１２１】
また、ビデオカメラ１００の説明で述べたように、テレビ受信機２００からビデオカメラ１００には、Ｅ−ＥＤＩＤのＶｉｄｅｏ  Ｓｈｏｒｔ領域、Ｖｅｎｄｅｒ  Ｓｐｅｃｉｆｉｃ領域で、テレビ受信機２００で取り扱われる、つまりテレビ受信機２００で表示可能な映像信号のフォーマット情報が送信される。この意味で、ＨＤＭＩ受信部２０２は、映像フォーマット情報供給部を構成している。
【０１２２】
以上のように構成される、図１（図２、図１２）のＡＶシステム５０の動作例を説明する。なお、音声系については、説明を省略する。
【０１２３】
例えば、ユーザが、被写体を撮像するように、ビデオカメラ１００を操作すると、撮像素子１１５は撮像動作を開始し、撮像信号処理部１１６から、被写体に対応した映像信号（画像データ）が得られる。撮像信号処理部１１６から出力される映像信号はコーデック１１７でエンコードされ、エンコードデータは記録再生部１１８によりＨＤ１１９に記録される。また、例えば、ユーザが、外部装置１３０からのデータを記録するようにビデオカメラ１００を操作すると、コーデック１１７により外部装置１３０からの映像信号がエンコードされ、エンコードデータは記録再生部１１８によりＨＤ１１９に記録される。
【０１２４】
ユーザが、ＨＤ１１９に記録されているデータを送信するようにビデオカメラ１００を操作すると、記録再生部１１８により、ＨＤ１１９からエンコードデータが再生され、コーデック１１７に供給される。コーデック１１７では、記録再生部１１８で再生されたエンコードデータが、送信すべき非圧縮（ベースバンド）の映像信号にデコードされる。この非圧縮の映像信号の解像度、ビット深度、フレームレート等は、信号変換部１１７ａにより、例えば、テレビ受信機２００で取り扱われるフォーマット、つまり、テレビ受信機２００で表示可能なフォーマットに変換される。
【０１２５】
コーデック１１７から出力される映像信号はそのままスイッチ部１２２を通じてＨＤＭＩ送信部１０２に供給され、あるいは、コーデック１１７から出力される映像信号はデータ圧縮部１２１-1〜１２１-nのいずれかでデータ圧縮処理された後にスイッチ部１２２を通じてＨＤＭＩ送信部１０２に供給される。
【０１２６】
この場合、コーデック１１７から出力される非圧縮映像信号のビットレートをＢＲ１とし、ＨＤＭＩ伝送路の伝送ビットレートをＢＲ２とするとき、ＢＲ１≦ＢＲ２であるときは、コーデック１１７から出力される非圧縮映像信号が送信すべき映像信号としてＨＤＭＩ送信部１０２に供給される。
【０１２７】
一方、ＢＲ１≦ＢＲ２でないときは、コーデック１１７から出力される非圧縮映像信号に対してデータ圧縮部１２１-1〜１２１-nのいずれかでデータ圧縮処理が施され、出力される圧縮映像信号が、送信すべき映像信号としてＨＤＭＩ送信部１０２に供給される。
【０１２８】
なお、ＢＲ１≦ＢＲ２でないときであっても、データ圧縮部１２１-1〜１２１-nにテレビ受信機２００で対応可能な圧縮方式でデータ圧縮処理を行うものがないときは、コーデック１１７から出力される非圧縮映像信号の解像度等が小さくされて、ＢＲ１≦ＢＲ２を満たすようにされ、その非圧縮映像信号が送信すべき映像信号としてＨＤＭＩ送信部１０２に供給される。
【０１２９】
これにより、ビデオカメラ１００は、ＨＤＭＩ伝送路の伝送ビットレート内で、所望のビットレートの映像信号を、テレビ受信機２００に良好に送信できる。
【０１３０】
また、ユーザが、撮像データを送信するようにビデオカメラ１００を操作すると、上述したように撮像信号処理部１１６から出力される映像信号（画像データ）が、上述のＨＤ１１９から再生された映像信号と同様に、そのままスイッチ部１２２を通じてＨＤＭＩ送信部１０２に供給され、あるいは、コーデック１１７から出力される映像信号はデータ圧縮部１２１-1〜１２１-nのいずれかでデータ圧縮処理された後にスイッチ部１２２を通じてＨＤＭＩ送信部１０２に供給される。
【０１３１】
このようにＨＤＭＩ送信部１０２に供給された映像信号（非圧縮映像信号または圧縮映像信号）は、ＨＤＭＩに準拠した通信により、ＨＤＭＩケーブル３００を介して、テレビ受信機２００に、一方向に、送信される。なお、制御部１１１から、映像信号のブランキング期間に挿入されるＡＶＩ InfoFrame パケット、ＣＥＣライン、高速データライン等を用いて、送信映像信号の圧縮情報およびフォーマット情報が、テレビ受信機２００に送信される。
【０１３２】
テレビ受信機２００では、ＨＤＭＩ受信部２０２により、ＨＤＭＩに準拠した通信により、ビデオカメラ１００のＨＤＭＩ送信部１０２からＨＤＭＩケーブル３００を介して一方向に送信されてくる映像信号が受信される。ＨＤＭＩ受信部２０２で受信された映像信号は、スイッチ部２２０およびデータ伸長部２１９-1〜２１９-mに供給される。
【０１３３】
スイッチ部２２０およびデータ伸長部２１９-1〜２１９-mの動作は、ビデオカメラ１００から、上述したように供給される圧縮情報に基づいて、制御される。すなわち、ＨＤＭＩ受信部２０２で受信された映像信号が非圧縮映像信号であるとき、当該非圧縮映像信号はスイッチ部２２０を通じて切り替え器２１６に供給される。一方、ＨＤＭＩ受信部２０２で受信された映像信号が圧縮映像信号であるとき、ＨＤＭＩ受信部２０２で受信された映像信号に対して、その圧縮方式に対応したデータ伸長部でデータ伸長処理が行われ、その結果得られた非圧縮映像信号がスイッチ部２２０を通じて切り替え器２１６に供給される。
【０１３４】
なお、切り替え器２１６に供給される非圧縮映像信号がＨＤＭＩ伝送路の伝送ビットレートとの関係から、ビデオカメラ１００側で解像度等が小さくされているときには、上述したようにビデオカメラ１００から供給されるフォーマット情報に基づいて、解像度等が当該テレビ受信機２００で取扱可能な、つまりテレビ受信機２００で表示可能な状態に戻される。
【０１３５】
これにより、ＨＤＭＩ受信部２０２で受信される映像信号が非圧縮映像信号であるか圧縮映像信号であるかによらず、切り替え器２１６には、良好な受信映像信号が供給される。なお、上述したようにビデオカメラ１００においては、テレビ受信機２００からの圧縮方式情報に基づいて、テレビ受信機２００で対応可能な圧縮方式でデータ圧縮処理が行われるので、ＨＤＭＩ受信部２０２で受信される圧縮映像信号は、データ伸長部２１９-1〜２１９-mのいずれかによって、必ず伸長することができる。
【０１３６】
また、チューナ２１４で受信された映像信号は切り替え器２１６に供給される。ユーザがユーザ操作部２１２によりＨＤＭＩ受信部２０２を選択する操作を行うとき、切り替え器２１６ではＨＤＭＩ受信部２０２で受信された映像信号が取り出される。一方、ユーザがユーザ操作部２１２によりチューナ２１４を選択する操作を行うとき、切り替え器２１６ではチューナ２１４で受信された画像データが取り出される。
【０１３７】
切り替え器２１６で取り出された映像信号は、表示処理部２１７に供給される。表示処理部２１７では、制御部２１１の制御のもと、映像信号に対して輪郭強調処理、ノイズ除去処理等が行われ、処理後の映像信号は表示部２１８に供給される。表示部２１８では、表示処理部２１７から供給される画像データに基づいて、画像が表示される。
【０１３８】
図１３は、送信装置（ビデオカメラ１００）から受信装置（テレビ受信機２００）にＨＤＭＩケーブル３００を介して映像信号を送信する場合における制御シーケンスを示している。
【０１３９】
（ａ）送信装置は受信装置から伝送されたＨＰＤ(Hot Plug Detect）信号を受信すると、接続が確立されたことがわかる。（ｂ）送信装置は受信装置に対し、圧縮方式（伸長方式）情報を含むＥ−ＥＤＩＤデータの読み出しを要求する。（ｃ）受信装置は要求を受信したら、受信装置の記憶部からＥ−ＥＤＩＤデータを読み出して、送信装置へ伝送する。  送信装置は伝送されたＥ−ＥＤＩＤデータから受信装置が対応可能な圧縮方式を認識し、送信装置が使用し得る圧縮方式を決定する。（ｄ）ユーザから送信要求が出されて、選択された映像信号を送信するとき、送信装置は、ＨＤＭＩ伝送路の伝送ビットレートと、送信映像信号のビットレートを比較し、送信映像信号のビットレートがＨＤＭＩ伝送路の伝送ビットレート以下であれば、非圧縮のまま伝送する。
【０１４０】
一方、送信映像信号のビットレートがＨＤＭＩ伝送路の伝送ビットレートを超える場合は、送信装置は、上述で決定した圧縮方式の中から適宜圧縮方式を選択し、さらに必要に応じて圧縮比を決定し、（ｅ）その情報をＡＶＩ InfoFrame パケットの所定の領域に設定して受信装置に伝送し、圧縮映像信号を送信する。
【０１４１】
（ｆ）受信装置は、受信したＡＶＩ InfoFrame パケットから、圧縮方式と圧縮比の情報を抽出し、非圧縮であればそのまま表示部へ信号を渡す。一方、圧縮伝送ならば、圧縮方式と圧縮比の情報を用いて圧縮映像信号に対して伸長処理（復号化）を行う。（ｇ）ユーザの操作により、送信停止が指示されたとき、送信装置は、映像信号の送信を停止する。
【０１４２】
次に、ビデオカメラ１００のＨＤＭＩ送信部１０２およびテレビ受信機２００のＨＤＭＩ受信部２０２について説明する。図１４は、ＨＤＭＩ送信部（ＨＤＭＩソース）１０２と、ＨＤＭＩ受信部（ＨＤＭＩシンク）２０２の構成例を示している。
【０１４３】
ＨＤＭＩ送信部１０２は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部２０２に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部２０２に一方向に送信する。
【０１４４】
すなわち、ＨＤＭＩ送信部１０２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル３００を介して接続されているＨＤＭＩ受信部２０２に、一方向にシリアル伝送する。
【０１４５】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル３００を介して接続されているＨＤＭＩ受信部２０２に、一方向にシリアル伝送する。
【０１４６】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部２０２に送信する。ここで、１つのＴＭＤＳチャネル＃ｉ（ｉ＝０，１，２）では、ピクセルクロックの１クロックの間に、１０ビットの画素データが送信される。
【０１４７】
ＨＤＭＩ受信部２０２は、アクティブビデオ区間において、複数のチャネルで、ＨＤＭＩ送信部１０２から一方向に送信されてくる、画素データに対応する差動信号を受信するとともに、水平帰線区間または垂直帰線区間において、複数のチャネルで、ＨＤＭＩ送信部１０２から一方向に送信されてくる、音声データや制御データに対応する差動信号を受信する。
【０１４８】
すなわち、ＨＤＭＩ受信部２０２は、レシーバ８２を有する。レシーバ８２は、ＴＭＤＳチャネル＃０，＃１，＃２で、ＨＤＭＩケーブル３００を介して接続されているＨＤＭＩ送信部１０２から一方向に送信されてくる、画素データに対応する差動信号と、音声データや制御データに対応する差動信号を、同じくＨＤＭＩ送信部１０２からＴＭＤＳクロックチャネルで送信されてくるピクセルクロックに同期して受信する。
【０１４９】
ＨＤＭＩ送信部１０２とＨＤＭＩ受信部２０２とからなるＨＤＭＩシステムの伝送チャネルには、ＨＤＭＩ送信部１０２からＨＤＭＩ受信部２０２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【０１５０】
ＤＤＣ８３は、ＨＤＭＩケーブル３００に含まれる図示せぬ２本の信号線からなり、ＨＤＭＩ送信部１０２が、ＨＤＭＩケーブル３００を介して接続されたＨＤＭＩ受信部２０２から、Ｅ−ＥＤＩＤ（Enhanced Extended Display Identification Data）を読み出すために使用される。
【０１５１】
すなわち、ＨＤＭＩ受信部２０２は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部１０２は、ＨＤＭＩケーブル３００を介して接続されているＨＤＭＩ受信部２０２から、当該ＨＤＭＩ受信部２０２のＥ−ＥＤＩＤを、ＤＤＣ８３を介して読み出し、そのＥ−ＥＤＩＤに基づき、例えば、ＨＤＭＩ受信部２０２を有する電子機器が対応している画像のフォーマット（プロファイル）、例えば、ＲＧＢ、ＹＣbＣr４：４：４、ＹＣbＣr４：２：２等を認識する。
【０１５２】
ＣＥＣライン８４は、ＨＤＭＩケーブル３００に含まれる図示せぬ１本の信号線からなり、ＨＤＭＩ送信部１０２とＨＤＭＩ受信部２０２との間で、制御用のデータの双方向通信を行うのに用いられる。
【０１５３】
また、ＨＤＭＩケーブル３００には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル３００には、ソース機器からシンク機器に電源を供給するために用いられるライン８７が含まれている。さらに、ＨＤＭＩケーブル３００には、リザーブライン８８が含まれている。
【０１５４】
図１５は、図１４のＨＤＭＩトランスミッタ８１とＨＤＭＩレシーバ８２の構成例を示している。
【０１５５】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【０１５６】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【０１５７】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【０１５８】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１５９】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１６０】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１６１】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１６２】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１６３】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１６４】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１６５】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１６６】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１６７】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１６８】
図１６は、ＨＤＭＩの３つのＴＭＤＳチャネル＃０，＃１，＃２で各種の伝送データが伝送される伝送区間（期間）の例を示している。なお、図１６は、ＴＭＤＳチャネル＃０，＃１，＃２において、横×縦が７２０×４８０画素のプログレッシブの画像が伝送される場合の、各種の伝送データの区間を示している。
【０１６９】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【０１７０】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【０１７１】
ビデオデータ区間は、アクティブビデオ区間に割り当てられる。このビデオデータ区間では、非圧縮の１画面分の画像データを構成する７２０画素×４８０ライン分の有効画素（Active pixel）のデータ、あるいは、それを圧縮処理して得られたデータが伝送される。
【０１７２】
データアイランド区間およびコントロール区間は、水平ブランキング期間および垂直ブランキング期間に割り当てられる。このデータアイランド区間およびコントロール区間では、補助データ（Auxiliary data）が伝送される。
【０１７３】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１７４】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１７５】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【０１７６】
図１７は、ＨＤＭＩ端子１０１，２０１のピン配列を示している。このピン配列は、タイプＡ（type-A）の例である。
【０１７７】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１７８】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１７９】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【０１８０】
次に、ビデオカメラ１００の高速データラインインタフェース１０３およびテレビ受信機２００の高速データラインインタフェース２０３について説明する。なお、ここでは、ビデオカメラ１００をソース機器とし、テレビ受信機２００をシンク機器として説明する。
【０１８１】
図１８は、ソース機器およびシンク機器の高速データラインインタフェースの構成例を示している。この高速データラインインタフェースは、ＬＡＮ(Local Area Network)通信を行う通信部を構成する。この通信部は、ＨＤＭＩケーブルを構成する複数のラインのうち、１対の差動ライン、この実施の形態においては、空き（Reserve）ピン（１４ピン）に対応したリザーブライン（Ether＋ライン）、およびＨＰＤピン（１９ピン）に対応したＨＰＤライン（Ether−ライン）により構成された双方向通信路を用いて、通信を行う。
【０１８２】
ソース機器は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース（高速データラインＩ／Ｆ）は、ＬＡＮ信号送信回路４１１、終端抵抗４１２、ＡＣ結合容量４１３，４１４、ＬＡＮ信号受信回路４１５、減算回路４１６により構成されている。
【０１８３】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【０１８４】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【０１８５】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414は、ソース機器の制御部（ＣＰＵ）に供給される。
【０１８６】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ソース機器の制御部（ＣＰＵ）に供給される。
【０１８７】
シンク機器は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース（高速データラインＩ／Ｆ）は、ＬＡＮ信号送信回路４４１、終端抵抗４４２、ＡＣ結合容量４４３，４４４、ＬＡＮ信号受信回路４４５、減算回路４４６により構成されている。
【０１８８】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１８９】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１９０】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１９１】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、シンク機器の制御部（ＣＰＵ）に供給される。
【０１９２】
ＨＤＭＩケーブルに含まれるリザーブライン５０１およびＨＰＤライン５０２は、差動ツイストペアを構成している。リザーブライン５０１のソース側端５１１は、ソース機器のＨＤＭＩ端子の１４ピンに接続され、当該リザーブライン５０１のシンク側端５２１はシンク機器のＨＤＭＩ端子の１４ピンに接続される。また、ＨＰＤライン５０２のソース側端５１２はソース機器のＨＤＭＩ端子の１９ピンに接続され、当該ＨＰＤライン５０２のシンク側端５２２はシンク機器のＨＤＭＩ端子の１９ピンに接続される。
【０１９３】
ソース機器において、上述したプルアップ抵抗４２１とＡＣ結合容量４１３の互いの接続点Ｑ１は、ＨＤＭＩ端子の１４ピンに接続され、また、上述したプルダウン抵抗４３１とＡＣ結合容量４１４の互いの接続点Ｑ２はＨＤＭＩ端子の１９ピンに接続される。一方、シンク機器において、上述したプルダウン抵抗４５１とＡＣ結合容量４４３の互いの接続点Ｑ３はＨＤＭＩ端子の１４ピンに接続され、また、上述したチョークコイル４６１とＡＣ結合容量４４４の互いの接続点Ｑ４はＨＤＭＩ端子の１９ピンに接続される。
【０１９４】
次に、上述したように構成された、高速データラインインタフェースによるＬＡＮ通信の動作を説明する。
【０１９５】
ソース機器において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブルの１対のライン（リザーブライン５０１、ＨＰＤライン５０２）を通じて、シンク機器に送信される。
【０１９６】
また、シンク機器において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブルの１対のライン（リザーブライン５０１、ＨＰＤライン５０２）を通じて、ソース機器に送信される。
【０１９７】
また、ソース機器において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにシンク機器から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、シンク機器の送信信号（送信データ）ＳＧ417に対応したものとなる。
【０１９８】
また、シンク機器において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにソース機器から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ソース機器の送信信号（送信データ）ＳＧ411に対応したものとなる。
【０１９９】
このように、ソース機器の高速データラインインタフェースと、シンク機器の高速データラインインタフェースとの間では、双方向のＬＡＮ通信を行うことができる。
【０２００】
なお、図１８において、ＨＰＤライン５０２は、上述のＬＡＮ通信の他に、ＤＣバイアスレベルで、ＨＤＭＩケーブルがシンク機器に接続されたことをソース機器に伝達する。すなわち、シンク機器内の抵抗４６２，４６３とチョークコイル４６１は、ＨＤＭＩケーブルがシンク機器に接続されるとき、ＨＰＤライン５０２を、ＨＤＭＩ端子の１９ピンを介して、約４Ｖにバイアスする。ソース機器は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０２０１】
ソース機器のＨＤＭＩ端子の１９ピンの電圧は、ＨＤＭＩケーブルがシンク機器に接続されていなければ、プルダウン抵抗４３１が存在するために基準電圧Ｖref2より低く、逆に、ＨＤＭＩケーブルがシンク機器に接続されていれば基準電圧Ｖref2より高い。したがって、比較器４３４の出力信号ＳＧ415は、ＨＤＭＩケーブルがシンク機器に接続されているときは高レベルとなり、そうでないときは低レベルとなる。これにより、ソース機器の制御部（ＣＰＵ）は、比較器４３４の出力信号ＳＧ415に基づいて、ＨＤＭＩケーブルがシンク機器に接続されたか否かを認識できる。
【０２０２】
また、図１８において、リザーブライン５０１のＤＣバイアス電位で、ＨＤＭＩケーブルの両端に接続された機器が、ＬＡＮ通信が可能な機器（以下、「ｅＨＤＭＩ対応機器」という）であるか、ＬＡＮ通信が不可能な機器（以下、「ｅＨＤＭＩ非対応機器」かを、相互に認識する機能を有している。
【０２０３】
上述したように、ソース機器はリザーブライン５０１を抵抗４２１でプルアップ（＋５Ｖ）し、シンク機器はリザーブライン５０１を抵抗４５１でプルダウンする。抵抗４２１，４５１は、ｅＨＤＭＩ非対応機器には存在しない。
【０２０４】
ソース機器は、上述したように、比較器４２４で、抵抗４２２および容量４２３からなるローパスフィルタを通過したリザーブライン５０１のＤＣ電位を基準電圧Ｖref1と比較する。シンク機器が、ｅＨＤＭＩ対応機器でプルダウン抵抗４５１があるときには、リザーブライン５０１の電圧が２．５Ｖとなる。しかし、シンク機器が、ｅＨＤＭＩ非対応機器でプルダウン抵抗４５１がないときには、リザーブライン５０１の電圧がプルアップ抵抗４２１の存在により５Ｖとなる。
【０２０５】
そのため、基準電圧Ｖref1が例えば３．７５Ｖとされることで、比較器４２４の出力信号ＳＧ414は、シンク機器がｅＨＤＭＩ対応機器であるときは低レベルとなり、そうでないときは高レベルとなる。これにより、ソース機器の制御部（ＣＰＵ）は、比較器４２４の出力信号ＳＧ414に基づいて、シンク機器がｅＨＤＭＩ対応機器であるか否かを認識できる。
【０２０６】
同様に、シンク機器は、上述したように、比較器４５４で、抵抗４５２および容量４５３からなるローパスフィルタを通過したリザーブライン５０１のＤＣ電位を基準電圧Ｖref3と比較する。ソース機器が、ｅＨＤＭＩ対応機器でプルアップ抵抗４２１があるときには、リザーブライン５０１の電圧が２．５Ｖとなる。しかし、ソース機器が、ｅＨＤＭＩ非対応機器でプルアップ抵抗４２１がないときには、リザーブライン５０１の電圧がプルダウン抵抗４５１の存在により０Ｖとなる。
【０２０７】
そのため、基準電圧Ｖref3が例えば１．２５Ｖとされることで、比較器４５４の出力信号ＳＧ416は、ソース機器がｅＨＤＭＩ対応機器であるときは高レベルとなり、そうでないときは低レベルとなる。これにより、シンク機器の制御部（ＣＰＵ）は、比較器４５４の出力信号ＳＧ416に基づいて、ソース機器がｅＨＤＭＩ対応機器であるか否かを認識できる。
【０２０８】
図１８に示す構成例によれば、１本のＨＤＭＩケーブルで映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、ＤＤＣに関して規定された電気的仕様と無関係にＬＡＮ通信のための回路を形成することができ、安定で確実なＬＡＮ通信が安価に実現できる。
【０２０９】
なお、図１８に示したプルアップ抵抗４２１が、ソース機器内ではなく、ＨＤＭＩケーブル内に設けられているようにしてもよい。そのような場合、プルアップ抵抗４２１の端子のそれぞれは、ＨＤＭＩケーブル内に設けられたラインのうち、リザーブライン５０１、および電源（電源電位）に接続されるライン（信号線）のそれぞれに接続される。
【０２１０】
さらに、図１８に示したプルダウン抵抗４５１および抵抗４６３がシンク機器内ではなく、ＨＤＭＩケーブル内に設けられているようにしてもよい。そのような場合、プルダウン抵抗４５１の端子のそれぞれは、ＨＤＭＩケーブル内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル内に設けられたラインのうち、ＨＰＤライン５０２、およびグランド（基準電位）に接続されるライン（グランド線）のそれぞれに接続される。
【０２１１】
以上説明したように、図１に示すＡＶシステム５０において、ビデオカメラ１００（図２参照）は、非圧縮映像信号またはこの非圧縮映像信号に対してテレビ受信機２００が対応可能な圧縮方式で圧縮処理を施して得られた圧縮映像信号を選択的に送信するものであり、伝送路の伝送ビットレート内で、所望のビットレートの映像信号を良好に送信できる。
【０２１２】
また、図１に示すＡＶシステム５０において、テレビ受信機２００（図１２参照）は、自身の対応可能な圧縮方式の情報をビデオカメラ１００に供給すると共に、ビデオカメラ１００から供給される圧縮情報等に基づいて伸長処理、信号選択処理等を制御するものであり、送られてくる映像信号が非圧縮映像信号であるか圧縮映像信号であるかによらず、受信映像信号を良好に得ることができる。
【０２１３】
なお、上述の実施の形態において、ビデオカメラ１００では、伝送開始前に、ＨＤＭＩ伝送路の伝送ビットレートと、コーデック１１７から出力される送信映像信号のビットレートとの比較が行われて、送信映像信号のビットレートが決定される。すなわち、送信映像信号のビットレートがＨＤＭＩ伝送路の伝送ビットレート以下であれば非圧縮のまま伝送するように決定され、一方、送信映像信号のビットレートがＨＤＭＩ伝送路の伝送ビットレートを超える場合は、圧縮して伝送するか、あるいは低ビットレートのフォーマットにして伝送するように決定される。
【０２１４】
しかし、ＨＤＭＩケーブル３００の劣化（曲がり、ねじれ、断線）やケーブル長による信号減衰、あるいはコネクタ部の接触不良などで、テレビ受信機２００における受信信号品質が劣化し、ＨＤＭＩ伝送路の実質的な伝送ビットレートが理論値より低くなっていることもある。その場合、上述の伝送開始前に決定されたビットレートの送信映像信号を送信するものとすると、最適な状態での伝送が困難になる。
【０２１５】
以下、実際の伝送路の状態に応じた最適な伝送状態を実現可能とする他の実施の形態を説明する。この他の実施の形態においては、テレビ受信機２００′は、伝送路の状態を示す伝送路情報を、ＨＤＭＩケーブル３００を介して、ビデオカメラ１００に供給する。
【０２１６】
図１９は、この他の実施の形態におけるテレビ受信機２００′の構成例を示している。この図１９において、図１２と対応する部分には同一符号を付し、その詳細説明は省略する。
【０２１７】
テレビ受信機２００′は、ＨＤＭＩ受信部２０２に、エラーパラメータ測定部２２５を備える。このエラーパラメータ測定部２２５は、定期的に、伝送路の状態を示すパラメータであるエラーバラメータを測定する。制御部２１１は、このエラーパラメータ測定部２２５で測定されたエラーパラメータに基づいて伝送路の状態を判別する。
【０２１８】
例えば、エラーパラメータ測定部２２５は、ＴＭＤＳのクロック信号の振幅値をエラーパラメータとして測定する。制御部２１１は、測定された振幅値を基準値（比較値）と比較し、振幅値が基準値より小さいときには伝送路の状態が不良であると判断する。また、例えば、エラーパラメータ測定部２２５は、ＴＭＤＳのアダプティブイコライザのゲインコントロール電圧値をエラーパラメータとして測定する。制御部２１１は、測定された電圧値を設定最大値近傍の基準値（比較値）と比較し、電圧値が基準値より大きいときには伝送路の状態が不良であると判断する。
【０２１９】
また、例えば、エラーパラメータ測定部２２５は、ＥＣＣエラー、ＢＣＨエラー、ＴＥＲＣ４エラー等のエラーレートをエラーパラメータとして測定する。制御部２１１は、測定されたエラーレートを基準値（比較値）と比較し、エラーレートが基準値より大きいときには伝送路の状態が不良であると判断する。
【０２２０】
制御部２１１は、例えば、伝送路の良、不良の判断情報を、ビデオカメラ１００に、伝送路情報として供給する。この場合、制御部２１１は、ビデオカメラ１００に、伝送路情報を、ＣＥＣライン、あるいは高速データラインを用いて、供給する。ここで、制御部２１１は、ＨＤＭＩ受信部２０２、高速データラインインタフェース２０３と共に、伝送路情報供給部を構成する。
【０２２１】
ビデオカメラ１００（図２参照）は、ＣＥＣライン、あるいは高速データラインを用いて、上述したようにテレビ受信機２００′から供給される伝送路情報を取得する。この場合、ビデオカメラ１００の制御部１１１は、ＨＤＭＩ送信部１０２、高速データラインインタフェース１０３と共に、伝送路情報取得部を構成する。
【０２２２】
ビデオカメラ１００においては、テレビ受信機２００′から取得される伝送路情報に基づいて、送信映像信号のビットレートが調整される。このビットレート調整は、送信映像信号のフォーマット変更、あるいは、圧縮方式または圧縮比の変更により行われる。例えば、伝送路状態が不良である場合には、送信映像信号のフォーマットがビットレートの低いフォーマットに変更されるか、あるいは非圧縮映像信号から圧縮映像信号に変更され、さらには、圧縮方式または圧縮比が制御されて、送信映像信号のビットレートが低くされる。この場合、信号変換部１１７ａ、圧縮部１２１-1〜１２１-nおよびスイッチ部１２２は、ビットレート調整部を構成する。
【０２２３】
上述では、テレビ受信機２００′は、ビデオカメラ１００に、伝送路情報として、伝送路の状態の良、不良の判断情報を供給する例を説明した。しかし、テレビ受信機２００′は、ビデオカメラ１００に、伝送路情報として、ＥＤＩＤ  ＲＯＭ８５に記憶されているＥ−ＥＤＩＤを供給する構成とすることもできる。
【０２２４】
ＥＤＩＤ  ＲＯＭ８５には、テレビ受信機２００′で取り扱い可能なフォーマット、つまりテレビ受信機２００′で表示可能なフォーマットの情報が記憶されている。テレビ受信機２００′の制御部２１１は、上述したように伝送路の状態が不良であると判断したときは、ＥＤＩＤ  ＲＯＭ８５に記憶されたＥ−ＥＤＩＤ内の映像信号のフォーマット情報を変更する。この場合、ビデオカメラ１００から現在送信されている映像信号のフォーマットは除かれ、当該除かれたフォーマットより必要とするビットレートが低いフォーマットだけを示す状態に変更される。
【０２２５】
この場合、テレビ受信機２００′が持っている性能が低下したわけではない。ＥＤＩＤ  ＲＯＭ８５に記憶されたＥ−ＥＤＩＤ内の映像信号のフォーマット情報を変更するのは、テレビ受信機２００′が持っている性能が低下したように見せかけ、ビデオカメラ１００側で送信映像信号のフォーマットがビットレートの低いフォーマットに変更されるように促すためである。
【０２２６】
テレビ受信機２００′の制御部２１１は、上述したようにＥＤＩＤ  ＲＯＭ８５に記憶されたＥ−ＥＤＩＤ内の映像信号のフォーマット情報を変更する場合には、ＨＤＭＩケーブル３００のＨＰＤライン８６の電圧をローレベル「Ｌ」として行う。そして、制御部２１１は、ＥＤＩＤ  ＲＯＭ８５に記憶されたＥ−ＥＤＩＤ内の映像信号のフォーマット情報を変更した後に、ＨＤＭＩケーブル３００のＨＰＤライン８６の電圧をハイレベル「Ｈ」に復帰させる。
【０２２７】
ＨＤＭＩケーブル３００のＨＰＤライン８６の電圧がローレベル「Ｌ」とされ、その後にハイレベル「Ｈ」に戻された場合、ビデオカメラ１００の制御部１１１は、Ｅ−ＥＤＩＤ内の映像信号のフォーマット情報が変更されたことを認識し、ＥＤＩＤ  ＲＯＭ８５からＥ−ＥＤＩＤを読み出す。
【０２２８】
テレビ受信機２００′からＥ−ＥＤＩＤを取得したビデオカメラ１００の制御部１１１は、Ｅ−ＥＤＩＤ内の映像信号のフォーマット情報に基づいて、送信映像信号のフォーマットを、そのフォーマット情報が示すフォーマットに変更する。これにより、伝送路の状態が不良である場合に、ビデオカメラ１００からテレビ受信機２００′に送信される送信映像信号のビットレートは低くなるように調整される。
【０２２９】
図２０のフローチャートは、テレビ受信機２００′の制御部２１１における、上述した伝送路状態に応じたＥ−ＥＤＩＤの書き換え処理の処理手順を示している。
【０２３０】
制御部２１１は、ステップＳＴ１１において、例えばテレビ受信機２００′のパワーオンに対応して処理を開始し、その後に、ステップＳＴ１２の処理に移る。このステップＳＴ１２において、制御部２１１は、エラーパラメータ測定部２２５で、伝送路の状態を示すパラメータであるエラーパラメータを測定する。
【０２３１】
次に、制御部２１１は、ステップＳＴ１３において、ステップＳＴ１２で測定されたエラーパラメータに基づいて、伝送路状態が不良であるか否かを判断する。不良でないとき、制御部２１１は、直ちにステップＳＴ１２の処理に戻る。一方、不良であるとき、制御部２１１は、ステップＳＴ１４の処理に移る。
【０２３２】
このステップＳＴ１４において、制御部２１１は、伝送周波数は最低周波数か否かを判断する。すなわち、制御部２１１は、ビデオカメラ１００から現在送信されている映像信号のフォーマットが、テレビ受信機２００′が取り扱い可能なフォーマットの中で、必要とするビットレートが最低のフォーマットであるか否かを判断する。
【０２３３】
伝送周波数が最低周波数であるとき、Ｅ−ＥＤＩＤ内の映像信号のフォーマット情報の変更は不可能であるので、制御部２１１は、ステップＳＴ１５において、処理を終了する。一方、伝送周波数が最低周波数でないとき、制御部２１１は、ステップＳＴ１６の処理に移る。
【０２３４】
このステップＳＴ１６において、制御部２１１は、自動設定モードにあるか否かを判断する。上述していないが、テレビ受信機２００′において、ユーザは、ユーザ操作部２１２を操作して、Ｅ−ＥＤＩＤ内の映像信号のフォーマット情報が伝送路状態に応じて自動的に書き換えが行われるモード（自動設定モード）とすることができる。自動設定モードにないとき、制御部２１１は、ステップＳＴ１７において、表示処理部２１７を制御し、表示部２１８に、フォーマットの切り替え確認のメッセージを表示する。
【０２３５】
次に、制御部２１１は、ステップＳＴ１８において、ユーザがフォーマット切り替えを選択したか否かを判断する。ユーザがフォーマット切り替えを選択しないとき、制御部２１１は、ステップＳＴ１２の処理に戻る。一方、ユーザがフォーマット切り替えを選択したとき、制御部２１１は、ステップＳＴ１９の処理に移る。ステップＳＴ１６で自動設定モードにあるとき、制御部２１１は、直ちに、ステップＳＴ１９の処理に移る。
【０２３６】
ステップＳＴ１９において、制御部２１１は、ＨＤＭＩケーブル３００のＨＰＤライン８６の電圧をローレベル「Ｌ」とする。そして、制御部２１１は、ステップＳＴ２０において、Ｅ−ＥＤＩＤ内の映像信号のフォーマット情報の書き換えを行う。この場合、制御部２１１は、ビデオカメラ１００から現在送信されている映像信号のフォーマットを除き、当該除いたフォーマットより必要とするビットレートが低いフォーマットだけを示すように、フォーマット情報を書き換える。制御部２１１は、このようなフォーマット情報の書き換えにより、伝送路の伝送周波数の低下、つまり、ビデオカメラ１００からの送信映像信号のビットレートの低下を図る。
【０２３７】
次に、制御部２１１は、ステップＳＴ２１において、ＨＤＭＩケーブル３００のＨＰＤライン８６の電圧をハイレベル「Ｈ」とする。制御部２１１は、ステップＳＴ２１の処理の後に、ステップＳＴ１２の処理に戻り、伝送路の状態監視を続け、伝送路の状態が不良である場合には、Ｅ−ＥＤＩＤ内の映像信号のフォーマット情報の書き換え処理を再度行う。
【０２３８】
以下に、Ｅ−ＤＩＤ内の映像信号のフォーマット情報を書き換えて、伝送路の伝送周波数を順次下げていく例を示す。表１、表２、表３は、それぞれ、１０８０Ｐ（１２ｂｉｔ）用のＥ−ＥＤＩＤ、１０８０Ｐ（８ｂｉｔ）用のＥ−ＥＤＩＤ、１０８０ｉ（８ｂｉｔ）用のＥ−ＥＤＩＤの一部抜粋データである。１０８０Ｐ（１２ｂｉｔ）用→１０８０Ｐ（８ｂｉｔ）用→１０８０ｉ（８ｂｉｔ）用にＥ−ＥＤＩＤを段階的に書き換えて
いくことで、伝送周波数を２２５ＭＨｚ→１６５ＭＨｚ→８０ＭＨｚと下げていくことができる。
【０２３９】
【表１】
0005593596.tif 000002
【０２４０】
【表２】
0005593596.tif 000003
【０２４１】
【表３】
0005593596.tif 000004
【０２４２】
上述の他の実施の形態においては、ビデオカメラ１００では、テレビ受信機２００′から伝送路の状態を示す伝送路情報が取得される。そして、ビデオカメラ１００では、この伝送路情報に基づいて、送信映像信号のビットレートが調整される。つまり、上述の他の実施の形態においては、ビデオカメラ１００からテレビ受信機２００′に送信される送信映像信号のビットレートが伝送路の状態に応じて動的に調整されるため、実際の伝送路の状態に応じた最適な伝送状態を実現できる。
【０２４３】
また、上述の他の実施の形態において、ビデオカメラ１００では、テレビ受信機２００′から伝送路情報として、変更された映像信号のフォーマット情報を含むＥ−ＥＤＩＤが取得される。そのため、ビデオカメラ１００では、送信映像信号のフォーマットをＥ−ＥＤＩＤに含まれるフォーマット情報が示すフォーマットに変更して、送信映像信号のビットレート調整を簡単に行うことができる。
【０２４４】
なお、上述実施の形態においては、図１に示すＡＶシステム５０のように、この発明をソース機器（送信装置）と、シンク機器（受信装置）に適用した例を示した。しかし、この発明は、リピータ機器を構成する送信部および受信部にも同様に適用できることは勿論である。
【０２４５】
図２１は、リピータ機器を備えるＡＶシステム５０Ａの構成例を示している。このＡＶシステム５０Ａは、ソース機器としてのディスクレコーダ４００と、リピータ機器としてオーディオアンプ５００と、シンク機器としてのテレビ受信機６００を有している。
【０２４６】
ディスクレコーダ４００には、ＨＤＭＩ送信部（ＨＤＭＩＴＸ）４０２が接続されたＨＤＭＩ端子４０１が設けられている。テレビ受信機６００には、ＨＤＭＩ受信部（ＨＤＭＩ ＲＸ）６０２が接続されたＨＤＭＩ端子６０１が設けられている。また、オーディオアンプ５００には、ＨＤＭＩ受信部（ＨＤＭＩＲＸ）５０３が接続されたＨＤＭＩ端子５０１が設けられていると共に、ＨＤＭＩ送信部（ＨＤＭＩ ＴＸ）５０４が接続されたＨＤＭＩ端子５０２が設けられている。
【０２４７】
ディスクレコーダ４００およびオーディオアンプ５００は、ＨＤＭＩケーブル３０１を介して接続されている。すなわち、ＨＤＭＩケーブル３０１の一端はディスクレコーダ４００のＨＤＭＩ端子４０１に接続され、このＨＤＭＩケーブル３０１の他端はオーディオアンプ５００のＨＤＭＩ端子５０１に接続されている。また、オーディオアンプ５００およびテレビ受信機６００は、ＨＤＭＩケーブル３０２を介して接続されている。すなわち、ＨＤＭＩケーブル３０２の一端はオーディオアンプ５００のＨＤＭＩ端子５０２に接続され、このＨＤＭＩケーブル３０２の他端はテレビ受信機６００のＨＤＭＩ端子６０１に接続されている。
【０２４８】
図２１に示すＡＶシステム５０Ａにおいては、ディスクレコーダ４００で再生された映像信号は、ＨＤＭＩケーブル３０１、オーディオアンプ５００およびＨＤＭＩケーブル３０２を介してテレビ受信機６００に供給され、当該テレビ受信機６００において画像が表示される。一方、ディスクレコーダ４００で再生された音声信号は、ＨＤＭＩケーブル３０１を介してオーディオアンプ５００に供給され、当該オーディオアンプ５００で処理された後に、例えば、外付けの５．１チャネル用スピーカ群５０５に供給され、当該スピーカ群５０５において音声が出力される。
【０２４９】
図２１に示すＡＶシステム５０Ａにおいて、オーディオアンプ５００のＨＤＭＩ受信部５０３およびテレビ受信機６００のＨＤＭＩ受信部６０２は、上述の図１９に示すテレビ受信機２００′と同様に、エラーパラメータ測定部２２５およびＥＤＩＤ  ＲＯＭ８５を備えている。詳細説明は省略するが、ディスクレコーダ４００の送信部およびオーディオアンプ５００の送信部は、図２に示すビデオカメラ１００の送信部と同様に構成され、同様に動作する。また、オーディオアンプ５００の受信部およびテレビ受信機６００の受信部は、図１２、図１９に示すテレビ受信機２００，２００′の受信部と同様に構成され、同様に動作する。
【０２５０】
また、上述実施の形態は、ＨＤＭＩの伝送路を用いるものを示している。しかし、この発明は、ＨＤＭＩ以外の非圧縮映像信号の伝送路、例えば、ＤＶＩ(Digital Visual Interface)、ＤＰ(Display Port)インタフェース、ワイヤレス伝送、さらに今後普及すると思われるギガビットEthernet・光ファイバーの伝送路を用いるものにも同様に適用できる。
【０２５１】
ＤＶＩの場合、上述したＨＤＭＩと同様に、映像信号の対応フォーマット（解像度、ビット深度、フレームレート等）を、受信装置が保有するＥ−ＥＤＩＤと呼ばれる領域に記憶する規格が定義されている。したがって、このＤＶＩの場合、上述したＨＤＭＩの場合と同様にして、送信装置は、映像信号を受信装置に送信する際には、ＤＤＣ(Display Data Channel)を用いて受信装置のＥ−ＥＤＩＤから上述の対応フォーマット情報を読み出し、送信映像信号のフォーマットを決めることができる。
【０２５２】
このＤＶＩの場合、ＨＤＭＩと同様に、映像信号を、ＴＭＤＳチャネル０〜ＴＭＤＳチャネル２を用いて、ソース機器からシンク機器へ一方向で送信する（図１４参照）。このＤＶＩ伝送路の規格上の上限伝送ビットレートは、３．９６Ｇbpsである。
【０２５３】
図２２は、ＤＰインタフェースを用いたＤＰシステムの構成例を示している。このＤＰシステムは、ディスプレイポート送信機器とディスプレイポート受信機器とが、ＤＰインタフェースにより接続されている。そして、ディスプレイポート送信機器はディスプレイポートトランスミッタを備え、ディスプレイポート受信機器はディスプレイポートレシーバを備えている。
【０２５４】
メインリンクは、１つ、２つ、または４つの二重終端差動信号ペア（ペアレーン）から構成され、専用のクロック信号は持たず、代わりに８Ｂ／１０Ｂ符号化データストリームにクロックが埋め込まれている。ＤＰインタフェースでは、２つの伝送速度が定められている。１つはペアレーン当たりの帯域幅が２．１６Ｇbpsである。もう１つは、ペアレーン当たりの帯域幅が１．２９６Ｇbpsである。従って、このＤＰインタフェースの伝送路における規格上の上限伝送ビットレートは、１ポートあたり２．１６Ｇbpsであり、最大４ポートで８．６４Ｇbpsである。
【０２５５】
このＤＰインタフェースでは、ＨＤＭＩと違い、伝送速度とピクセル周波数は独立していて、ピクセルの深さや解像度、フレーム周波数、および転送ストリーム内の音声データやＤＲＭ情報などの付加データの有無ならびにその量を、自由に調整できる。
【０２５６】
また、ＤＰインタフェースでは、メインリンクとは別に、帯域幅１Ｍビット/秒、最大遅延５００msの半二重双方向の外部（補助）チャネルがあり、この双方向通信によって送信機器と受信機器との間の機能に関する情報交換を行う。
【０２５７】
このＤＰインタフェースにおいては、例えば、上述の外部（補助）チャネルにより、受信機器から対応可能な圧縮方式情報を送信機器に供給することができ、また、送信機器から受信機器に圧縮情報を供給することができる。なお、このＤＰインタフェースの場合、図示していないが、ＨＤＭＩあるいはＤＶＩと同様のＥＤＩＤに、受信機器で対応可能な圧縮方式（伸長方式）情報が記憶されている。また、このＤＰインタフェースでは、ホットプラグ検知は、接続先が変更されたことを検出するために備えられている。
【０２５８】
図２３は、この発明の他の実施の形態としてのワイヤレスシステム５０Ｂの構成例を示している。この図２３において、図２および図１２、図１９と対応する部分には同一符号を付し、適宜、その詳細説明を省略する。このワイヤレスシステム５０Ｂは、送信装置１００Ａおよび受信装置２００Ａが無線伝送路３００Ａで接続された構成とされている。
【０２５９】
送信装置１００Ａは、制御部１３１と、ユーザ操作部１３２と、表示部１３３と、再生部１３４と、ｎ個のデータ圧縮部１２１-1〜１２１-nと、スイッチ部１２２と、ワイヤレス送受信部１３５とを有している。
【０２６０】
制御部１３１は、送信装置１００Ａの各部の動作を制御する。ユーザ操作部１３２および表示部１３３は、ユーザインタフェースを構成し、制御部１３１に接続されている。ユーザ操作部１３２は、送信装置１００Ａの図示しない筐体に配置されたキー、釦、ダイアル、あるいは表示部１３３の表示面に配置されたタッチパネル、さらにはリモコンの送受信機等で構成されている。表示部１３３は、ＬＣＤ(Liquid Crystal Display)等で構成されている。
【０２６１】
再生部１３４は、例えば、光ディスク、ＨＤＤ、あるいはメモリカード等の記録媒体から所定の映像コンテンツを再生し、非圧縮映像信号を出力する。この再生部１３４は、映像信号出力部を構成している。ワイヤレス送受信部１３５は、無線伝送路３００Ａを介して、受信装置２００Ａから、映像信号の対応フォーマット（解像度、ビット深度、フレームレート等）の情報を受信し、このフォーマット情報を制御部１３１に供給する。制御部１３１は、このフォーマット情報を記憶部１３１ａに記憶して保持する。再生部１３４は、制御部１３１の制御のもと、出力する非圧縮映像信号のフォーマット（解像度、ビット深度、フレームレート等）を、信号変換部１３４ａにより、受信装置２００Ａで取り扱われる、つまり、受信装置２００Ａで表示可能に変換して出力する。ワイヤレス送受信部１３５は、映像フォーマット情報取得部を構成している。
【０２６２】
データ圧縮部１２１-1〜１２１-nは、それぞれ、再生部１３４から出力された非圧縮の映像信号を所定の圧縮比をもって圧縮処理し、圧縮された映像信号を出力する。データ圧縮部１２１-1〜１２１-nは、映像信号圧縮部を構成している。データ圧縮部１２１-1〜１２１-nは、それぞれ、互いに異なる圧縮方式でデータ圧縮処理を行う。例えば、圧縮方式としては、「ＲＬＥ（Run Length Encoding）」、「Ｗａｖｅｌｅｔ」、「ＳＢＭ（SuperBit Mapping）」、「ＬＬＶＣ（Low Latency Video Codec）」、「ＺＩＰ」等が考えられる。なお、データ圧縮部１２１-1〜１２１-nで必要とされる圧縮率は小さくてよく、ライン内圧縮処理、あるいはフレーム（フィールド）内圧縮処理等を行う圧縮率の小さな圧縮方式で十分であり、さらに画質劣化を抑制するという観点からは可逆圧縮方式が望ましい。例えば、ＲＬＥ、ＺＩＰは可逆圧縮方式である。
【０２６３】
スイッチ部１２２は、再生部１３４から出力された非圧縮映像信号およびデータ圧縮部１２１-1〜１２１-nから出力された圧縮映像信号のうち、いずれかを選択的に取り出し、ワイヤレス送受信部１３５に、送信すべき映像信号として供給する。このスイッチ部１２２は、映像信号選択部を構成している。
【０２６４】
ここで、スイッチ部１２２およびデータ圧縮部１２１-1〜１２１-nの動作は、制御部１３１により、以下のように制御される。この場合、再生部１３４から出力される非圧縮（ベースバンド）映像信号のビットレートをＢＲ１とし、無線伝送路３００Ａの伝送ビットレートをＢＲ２とする。ビットレートＢＲ１は、例えば、（解像度）×（フレームレート）×（３色分のビット深度）の算出式により、求めることができる。
【０２６５】
無線伝送路３００Ａの伝送ビットレートＢＲ２は、この実施の形態においては、受信装置２００Ａから無線伝送路３００Ａを介して供給される、受信装置２００Ａ側におけるビットエラーレート情報に基づき、制御部１３１により設定される。制御部１３１は、受信装置２００Ａ側におけるビットエラーレート情報に基づいて、受信装置２００Ａ側におけるビットエラーレートを一定値以下とするビットレートで、しかも、その中で最も高いビットレートとなるように、当該ビットレートＢＲ２を逐次変化させる。
【０２６６】
すなわち、制御部１３１は、ビットエラーレートが一定値より大きくなる場合にはビットレートＢＲ２の値を小さくし、逆にビットエラーレートが一定値より小さくなる場合にはビットレートＢＲ２の値を大きくし、受信装置２００Ａ側におけるビットエラーレートを一定値近辺で推移させる。
【０２６７】
ワイヤレス送受信部１３５は、上述したように、受信装置２００Ａから無線伝送路３００Ａを介して供給されるビットエラーレート情報を取得し、制御部１３１に供給する。制御部１３１は、このビットエラーレート情報を記憶部１３１ａに保持する。ワイヤレス送受信部１３５は、ビットエラーレート情報取得部を構成している。
【０２６８】
ビットレートＢＲ１がビットレートＢＲ２を超えていない場合、スイッチ部１２２は、再生部１３４から出力される非圧縮映像信号を取り出して、ワイヤレス送受信部１３５に、送信すべき映像信号として供給する。一方、ビットレートＢＲ１がビットレートＢＲ２を超える場合、スイッチ部１２２は、再生部１３４から出力される非圧縮映像信号に対して、データ圧縮部１２１-1〜１２１-nのいずれかでデータ圧縮処理されて得られた圧縮映像信号を取り出して、ワイヤレス送受信部１３５に、送信すべき映像信号として供給する。
【０２６９】
ここで、制御部１３１は、受信装置２００Ａから無線伝送路３００Ａを介して供給される、当該受信装置２００Ａが対応可能な圧縮方式を示す情報を参照して、データ圧縮部１２１-1〜１２１-nのうちどのデータ圧縮部を選択するかを決定する。すなわち、制御部１３１は、受信装置２００Ａが対応可能な圧縮方式でデータ圧縮処理を行うと共に、データ圧縮処理で生成された圧縮映像信号のビットレートが、上述のビットレートＢＲ２（無線伝送路３００Ａの伝送ビットレート）を超えないように圧縮処理を行う、という条件を満たすデータ圧縮部を選択する。この場合、圧縮比の変更が可能なデータ圧縮部にあっては、圧縮比の変更制御により、上述のビットレートの条件を満たすことができる場合がある。
【０２７０】
なお、上述の条件を満たすデータ圧縮部が２つ以上存在する場合、制御部１３１は、その中に可逆圧縮方式のデータ圧縮を行うものがあるときは、そのデータ圧縮部を優先的に選択する。このように可逆圧縮方式のデータ圧縮を行うデータ圧縮部が優先的に選択されることで、データ圧縮処理による画質劣化が抑制される。
【０２７１】
また、上述したように、ビットレートＢＲ１がビットレートＢＲ２を超える場合には、データ圧縮部１２１-1〜１２１-nのいずれかでデータ圧縮処理されて得られた圧縮映像信号を送信すべき映像信号とすることが基本であるが、データ圧縮部１２１-1〜１２１-nの中に受信装置２００Ａが対応可能な圧縮方式でデータ圧縮処理を行うものが無かった場合、制御部１３１は、以下のような制御を行う。
【０２７２】
すなわち、制御部１３１は、再生部１３４が備える信号変換部１３４ａにより、この再生部１３４から出力される非圧縮映像信号の解像度、ビット深度およびフレームレートのうち、１つまたは複数の項目を小さくして、当該非圧縮映像信号のビットレートＢＲ１が、無線伝送路３００Ａの伝送ビットレートＢＲ２を超えないようにする。そして、制御部１３１は、再生部１３４から出力される非圧縮映像信号をスイッチ部１２２により取り出し、ワイヤレス送受信部１３５に、送信すべき映像信号として供給する。
【０２７３】
ワイヤレス送受信部１３５は、上述したように、受信装置２００Ａから無線伝送路３００Ａを介して供給される、当該受信装置２００Ａが対応可能な圧縮方式の情報および映像信号のフォーマット情報を取得し、制御部１３１に供給する。制御部１３１は、この圧縮方式情報を記憶部１３１ａに保持する。ワイヤレス送受信部１３５は、圧縮方式情報取得部を構成している。
【０２７４】
制御部１３１は、スイッチ部１２２およびデータ圧縮部１２１-1〜１２１-nの制御情報、さらには上述した再生部１３４から出力される非圧縮映像信号のフォーマット情報（解像度等の情報）を、無線伝送路３００Ａを介して、受信装置２００Ａに供給する。スイッチ部１２２およびデータ圧縮部１２１-1〜１２１-nの制御情報（以下、「圧縮情報」という）には、送信映像信号が非圧縮映像信号であるか圧縮映像信号であるかを示す情報、および送信映像信号が圧縮映像信号であるときには圧縮方式、圧縮比等の情報が含まれている。制御部１３１は、ワイヤレス送受信部１３５と共に、圧縮情報供給部を構成している。
【０２７５】
制御部１３１は、上述の圧縮情報を、例えば、上述の図１に示すＡＶシステム５０と同様に、ＡＶＩInfoFrame パケットを利用して、受信装置２００Ａに送信できる（図１０、図１１参照）。
【０２７６】
ワイヤレス送受信部１３５は、所定の通信により、スイッチ部１２２から供給される映像信号を、無線伝送路３００Ａを介して、受信装置２００Ａに送信する。この意味で、ワイヤレス送受信部１３５は、映像信号送信部を構成している。
【０２７７】
受信装置２００Ａは、制御部２３１と、ユーザ操作部２３２と、ワイヤレス送受信部２３３と、ｍ個のデータ伸長部２１９-1〜２１９-mと、スイッチ部２２０と、表示部２３４とを有している。
【０２７８】
制御部２３１は、受信装置２００Ａの各部の動作を制御する。ユーザ操作部２３２は、ユーザインタフェースを構成し、制御部２３１に接続されている。ユーザ操作部２３２は、受信装置２００Ａの図示しない筐体に配置されたキー、釦、ダイアル、あるいはリモコン等で構成される。
【０２７９】
ワイヤレス送受信部２３３は、所定の通信により、送信装置１００Ａから無線伝送路３００Ａを介して送信されてくる映像信号を受信する。このワイヤレス送受信部２３３は、映像信号受信部を構成している。このワイヤレス送受信部２３３は、受信した映像信号を、スイッチ部２２０およびデータ伸長部２１９-1〜２１９-mに供給する。
【０２８０】
データ伸長部２１９-1〜２１９-mは、ワイヤレス送受信部２３３で受信された映像信号が、圧縮された映像信号であり、その圧縮方式に自身が対応しているとき、当該映像信号にデータ伸長処理を施して、非圧縮映像信号を出力する。データ伸長部２１９-1〜２１９-mは、映像信号伸長部を構成している。スイッチ部２２０は、ワイヤレス送受信部２３３で受信された映像信号またはデータ伸長部２１９-1〜２１９-mで得られた非圧縮映像信号を、選択的に取り出して、表示部２３４に供給する。このスイッチ部２２０は、映像信号選択部を構成している。
【０２８１】
ここで、データ伸長部２１９-1〜２１９-mおよびスイッチ部２２０の動作は、制御部２３１により、以下のように制御される。すなわち、制御部２３１は、上述したように、送信装置１００Ａから無線伝送路３００Ａを介して供給される、圧縮情報、および、映像信号のフォーマット情報に基づいて、制御を行う。これらの情報は、ワイヤレス送受信部２３３で取得されて、制御部２３１に供給される、制御部２３１は、これらの情報を記憶部２３１ａに保持する。
【０２８２】
圧縮情報には、ワイヤレス送受信部２３３で受信された映像信号が非圧縮映像信号であるか圧縮映像信号であるかを示す情報、およびその映像信号が圧縮映像信号であるときには圧縮方式、圧縮比等の情報が含まれている。ワイヤレス送受信部２３３は、圧縮情報取得部を構成している。
【０２８３】
制御部２３１は、上述の圧縮情報等に基づいて、データ伸長部２１９-1〜２１９-mおよびスイッチ部２２０の動作を制御する。すなわち、制御部２３１は、ワイヤレス送受信部２３３で受信した映像信号が非圧縮映像信号であるとき、当該非圧縮映像信号をスイッチ部２２０で取り出し、受信映像信号として表示部２３４に供給する。
【０２８４】
一方、制御部２３１は、ワイヤレス送受信部２３３で受信した映像信号が圧縮映像信号であるとき、当該映像信号に対して、その圧縮方式に対応したデータ伸長部でデータ伸長処理を行い、その結果得られる非圧縮映像信号をスイッチ部２２０で取り出し、表示部２３４に供給する。
【０２８５】
なお、表示部２３４は、信号変換部２３４ａを備えている。この信号変換部２３４ａは、上述したようにワイヤレス送受信部２３３で受信した映像信号が非圧縮映像信号であっても、この非圧縮映像信号が無線伝送路３００Ａの伝送ビットレートとの関係から、送信装置１００Ａの再生部１３４が備える信号変換部１３４ａで解像度等が小さくされているときには、上述したように送信装置１００Ａから送信されてくる、当該非圧縮映像信号の解像度等の情報に基づいて、解像度等が当該受信装置２００Ａで取扱可能な、つまり受信装置２００Ａで表示可能な状態に戻される。
【０２８６】
表示部２３４は、スイッチ部２２０から出力される映像信号による画像を表示する。表示部２３４は、例えば、ＬＣＤ(Liquid Crystal Display)、有機ＥＬ(ElectroLuminescence)、ＰＤＰ(Plasma Display Panel)、ＣＲＴ(Cathode Ray Tube)等で構成される。
【０２８７】
なお、送信装置１００Ａの説明で述べたように、受信装置２００Ａから送信装置１００Ａには、無線伝送路３００Ａを介して、受信装置２００Ａが対応可能な圧縮方式（伸長方式）を示す情報および映像信号のフォーマット情報が送信される。この圧縮方式情報およびフォーマット情報は、例えば、制御部２３１の記憶部２３１ａに保持されている。
【０２８８】
受信装置２００Ａから送信装置１００Ａに圧縮方式情報およびフォーマット情報が送信される際、この記憶部２３１ａから読み出された圧縮方式情報およびフォーマット情報が、ワイヤレス送受信部２３３により、無線伝送路３００Ａを介して送信装置１００Ａに送信される。この意味で、ワイヤレス送受信部２３３は、圧縮方式情報供給部を構成している。
【０２８９】
また、ワイヤレス送受信部２３３は、ビットエラーレート測定部２３３ａを備えている。このビットエラーレート測定部２３３ａは、送信装置１００Ａから送られてくる映像信号のビットエラーレートを、例えば、定期的に、測定する。ワイヤレス送受信部２３３は、このビットエラーレート測定部２３３ａで得られたビットエラーレートの情報を、無線伝送路３００Ａを介して、送信装置１００Ａに送信する。送信装置１００Ａでは、このビットエラーレートの情報に基づいて、無線伝送路３００Ａの伝送ビットレートＢＲ２を設定し、上述したように、データ圧縮部１２１-1〜１２１-nおよびスイッチ部１２２の制御を行うことができる。ワイヤレス送受信部２３３は、ビットエラーレート情報供給部を構成している。ワイヤレス送受信部１３５は、ビットエラーレート情報取得部を構成している。
【０２９０】
以上のように構成される、図２３のワイヤレスシステム５０Ｂの動作例を説明する。
【０２９１】
例えば、ユーザが映像信号の送信操作を行うと、再生部１３４からはユーザが選択した所定の映像コンテンツの非圧縮映像信号が出力される。この非圧縮映像信号のフォーマット（解像度等）は、信号変換部１３４ａにより、例えば、受信装置２００Ａで取り扱われるフォーマット、つまり、受信装置２００Ａで表示可能なフォーマットに変換されている。
【０２９２】
再生部１３４から出力される映像信号はそのままスイッチ部１２２を通じてワイヤレス送受信部１３５に供給され、あるいは、再生部１３４から出力される映像信号はデータ圧縮部１２１-1〜１２１-nのいずれかでデータ圧縮処理された後にスイッチ部１２２を通じてワイヤレス送受信部１３５に供給される。
【０２９３】
この場合、再生部１３４から出力される非圧縮映像信号のビットレートをＢＲ１とし、無線伝送路３００Ａの伝送ビットレートをＢＲ２とするとき、ＢＲ１≦ＢＲ２であるときは、再生部１３４から出力される非圧縮映像信号が送信すべき映像信号としてワイヤレス送受信部１３５に供給される。
【０２９４】
一方、ＢＲ１≦ＢＲ２でないときは、再生部１３４から出力される非圧縮映像信号に対してデータ圧縮部１２１-1〜１２１-nのいずれかでデータ圧縮処理が施され、出力される圧縮映像信号が、送信すべき映像信号としてワイヤレス送受信部１３５に供給される。
【０２９５】
なお、ＢＲ１≦ＢＲ２でないときであっても、データ圧縮部１２１-1〜１２１-nに受信装置２００Ａで対応可能な圧縮方式でデータ圧縮処理を行うものがないときは、再生部１３４から出力される非圧縮映像信号の解像度等が小さくされて、ＢＲ１≦ＢＲ２を満たすようにされ、その非圧縮映像信号が送信すべき映像信号としてワイヤレス送受信部１３５に供給される。
【０２９６】
ワイヤレス送受信部２３５では、スイッチ部１２２から供給される映像信号が、所定の通信により、無線伝送路３００Ａを介して、受信装置２００Ａに送信される。この場合、送信される映像信号のビットレートは、上述したように、無線伝送路３００Ａの伝送ビットレート内に抑えられている。したがって、送信装置１００Ａは、無線伝送路３００Ａの伝送ビットレート内で、所望のビットレートの映像信号を、受信装置２００Ａに良好に送信できる。
【０２９７】
なお、この送信装置１００Ａから、受信装置２００Ａには、上述した映像信号の送信に伴って、無線伝送路３００Ａを通じて、送信映像信号の圧縮情報およびフォーマット情報が送信される。
【０２９８】
受信装置２００Ａでは、ワイヤレス送受信部２３３により、所定の通信により、送信装置１００Ａのワイヤレス送受信部１３５から無線伝送路３００Ａを介して送信されてくる映像信号が受信される。ワイヤレス送受信部２３３で受信された映像信号は、スイッチ部２２０およびデータ伸長部２１９-1〜２１９-mに供給される。
【０２９９】
スイッチ部２２０およびデータ伸長部２１９-1〜２１９-mの動作は、送信装置１００Ａから、上述したように供給される圧縮情報およびフォーマット情報に基づいて、制御される。
【０３００】
すなわち、ワイヤレス送受信部２３３で受信された映像信号が非圧縮映像信号であるとき、当該非圧縮映像信号がスイッチ部２２０を通じて表示部２３４に供給される。ワイヤレス送受信部２３３で受信された映像信号が圧縮映像信号であるとき、当該映像信号に対して、その圧縮方式に対応したデータ伸長部でデータ圧縮処理が行われ、その結果得られた非圧縮映像信号がスイッチ部２２０を通じて表示部２３４に供給される。
【０３０１】
なお、表示部２３４に供給される非圧縮映像信号が無線伝送路３００Ａの伝送ビットレートとの関係から、送信装置１００Ａ側で解像度等が小さくされているときには、上述したように送信装置１００Ａから供給されるフォーマット情報に基づいて、解像度等が当該受信装置２００Ａで取扱可能な、つまり受信装置２００Ａで表示可能な状態に戻される。
【０３０２】
これにより、ワイヤレス送受信部２３３で受信される映像信号が非圧縮映像信号であるか圧縮映像信号であるかによらず、表示部２３４には、良好な受信映像信号が供給される。表示部２３４には、上述したようにスイッチ部２２０から供給される映像信号による画像が表示される。
【０３０３】
なお、上述したように、送信装置１００Ａにおいては、受信装置２００Ａからの圧縮方式情報に基づいて、当該受信装置２００Ａが応可能な圧縮方式でデータ圧縮処理が行われるので、ワイヤレス送受信部２３３で受信される圧縮映像信号は、データ伸長部２１９-1〜２１９-mのいずれかによって、必ず伸長することができる。
【０３０４】
また、受信装置２００Ａのワイヤレス送受信部２３３では、ビットエラーレート測定部２３３ａにより、送信装置１００Ａから送られてくる映像信号のビットエラーレートが、例えば、定期的に、測定される。そして、測定されたビットエラーレートの情報は、ワイヤレス送受信部２３３から無線伝送路３００Ａを介して送信装置１００Ａ側に供給される。
【０３０５】
送信装置１００Ａでは、制御部１３１により、無線伝送路３００Ａの伝送ビットレートＢＲ２が、受信装置２００Ａから無線伝送路３００Ａを介して供給される、受信装置２００Ａ側におけるビットエラーレート情報に基づいて設定される。すなわち、制御部１３１により、受信装置２００Ａ側におけるビットエラーレートが一定値以下とするビットレートで、しかも、その中で最も高いビットレートとなるように、当該ビットレートＢＲ２が逐次更新される。したがって、受信装置２００Ａ側におけるビットエラーレートを一定値近辺で推移させることができ、無線伝送路３００Ａの伝送許容ビットレート（ビットエラーレートが一定値となる伝送ビットレート）が不安定で揺れる場合であっても、送信装置１００Ａから受信装置２００Ａに映像信号を良好に送信できる。
【０３０６】
図２４は、送信装置１００Ａから受信装置２００Ａに、無線伝送路３００Ａを介して映像信号を送信する場合における制御シーケンスを示している。
【０３０７】
（ａ）受信装置は、常に定期的にビーコンを出力し、送信装置がワイヤレスネットワーク内に存在するかどうかを確認する。（ｂ）ユーザにより電源が投入され、あるいは既にスタンバイ状態にある送信装置は、（ｃ）ビーコンに対してアクノーリッジを返答することでワイヤレスネットワークへの参加とリンク確立要求を行う。（ｄ）受信装置は、送信装置を認識し、リンク確立アクノーリッジを返答する。
【０３０８】
（ｅ）送信装置は、受信装置に対し、圧縮方式（伸長方式）情報を含むＥＤＩＤデータの伝送を要求する。（ｆ）受信装置は、要求を受信したら、受信装置の記憶部から所定のデータを読み出して、送信装置へ伝送する。送信装置は、伝送されたＥＤＩＤデータから受信装置が対応可能な圧縮方式を認識し、それに対応可能な送信装置の圧縮方式を決定する。
【０３０９】
（ｇ）ユーザにより選択された映像信号を伝送するとき、送信装置は、無線伝送路の伝送ビットレートと送信映像信号の必要伝送ビットレートを比較し、この必要伝送ビットレートが伝送路の伝送ビットレート以下であれば非圧縮のまま伝送する。一方、必要ビットレートが無線伝送路の伝送ビットレートを超える場合は、前述で決定した圧縮方式の中から適宜方式を選択し、また必要に応じて圧縮比を決定し、（ｈ）その情報をＡＶＩ InfoFrame パケットの所定の領域に設定して受信装置に伝送し、映像信号の送信を開始する。
【０３１０】
（ｉ）受信装置は、受信したＡＶＩ InfoFrame パケットから圧縮方式、圧縮比等の情報を抽出し、非圧縮であればそのまま表示部へ信号を渡す。一方、圧縮伝送ならば圧縮方式、圧縮比等の情報を用いて伸長部を制御し、復号化する。無線伝送は伝送路の条件により伝送ビットレートが不安定で、刻々と変化するため、（ｊ）送信装置は、受信装置からのビットエラーレート情報等により、定期的に無線伝送路の伝送ビットレート状況を確認する。
【０３１１】
（ｋ）送信装置は、無線伝送路の伝送ビットレートが現在送信している映像信号が必要とする伝送ビットレートを下回った場合は、圧縮比を変更したり、圧縮方式を変更したりして、送信映像信号が必要とする伝送ビットレートを無線伝送路の伝送ビットレート以下となるように制御し、同時に受信装置へ圧縮方式や圧縮比が変更となったＡＶＩ InfoFrame パケットを送信する。（ｍ）ユーザの操作により送信停止が指示されたとき、送信装置は受信装置への映像信号の送信を停止する。
【０３１２】
以上説明したように、図２３に示すワイヤレスシステム５０Ｂにおいて、送信装置１００Ａは、非圧縮映像信号またはこの非圧縮映像信号に対して受信装置２００Ａが対応可能な圧縮方式で圧縮処理を施して得られた圧縮映像信号を選択的に送信するものであり、無線伝送路３００Ａの伝送ビットレート内で、所望のビットレートの映像信号を良好に送信できる。
【０３１３】
また、図２３に示すワイヤレスシステム５０Ｂにおいて、受信装置２００Ａは、自身の対応可能な圧縮方式の情報を送信装置１００Ａに供給すると共に、送信装置１００Ａから供給される圧縮情報等に基づいて伸長処理、信号選択処理等を制御するものであり、送られてくる映像信号が非圧縮映像信号であるか圧縮映像信号であるかによらず、受信映像信号を良好に得ることができる。
【０３１４】
なお、受信装置２００Ａは、ビットエラーレート測定部２３３ａを備え、伝送路情報としてビットエラーレートの情報を得るようにされている。しかし、伝送路の状態を示す伝送路情報は、このビットエラーレートの情報に限定されるものではない。すなわち、この受信装置２００Ａにおいても、上述の図１９に示すテレビ受信機２００′におけるエラーパラメータ測定部２２５と同様のエラーパラメータ測定部を備える構成としてもよい。この場合、受信装置２００Ａから送信装置１００Ａに、測定されたエラーパラメータに対応した伝送路情報が送信され、この伝送路情報に基づいて送信装置１００Ａでは、送信映像信号のビットレートが調整される。
【０３１５】
なお、図２３に示すワイヤレスシステム５０Ｂにおいて、例えば、無線伝送路３００Ａが６０ＧＨｚ帯（ミリ波帯）である場合、室内での映像信号の伝送を考えた場合、送信波が壁や物体で反射するので、送信装置１００Ａのワイヤレス送受信部１３５におけるアンテナ（図示せず）の方向、つまり送信方向を変化させることで、図２５に示すように、送信装置１００Ａから受信装置２００Ａまでの送信経路として、複数の経路（図示の例では（ａ）〜（ｃ）の３経路）をとることが可能となる。
【０３１６】
このような状況において、送信装置１００Ａは、予め、送信方向を複数の方向に変化させて、各方向で種々のビットレートの映像信号を送信すると共に受信装置２００Ａからビットエラーレート情報を受け取ることで、図２６に示すような、テーブルを形成でき、このテーブルを制御部１３１の記憶部１３１ａに保持しておくことができる。
【０３１７】
図２６のテーブルは、送信装置１００Ａから受信装置２００Ａに映像信号を送信する際に利用可能な経路と、その経路における無線伝送路３００Ａにおける伝送ビットレート（ビットエラーレートが一定値以下で送信が可能な伝送ビットレート）との対応関係を示している。なお、ここでは、ＴＲａ＞ＴＲｂ＞ＴＲｃであるとする。
【０３１８】
図２５に示す状況において、送信装置１００Ａから受信装置２００Ａに(ａ)経路で映像信号の送信が行われている状態で、この（ａ）経路を遮断する位置に人などの障害物が入ってきた場合、送信装置１００Ａは、図２６のテーブルを参照して、次に伝送ビットレートが大きな（ｂ）経路で送信を行う状態となる。このとき、送信装置１００Ａの制御部１３１は、無線伝送路３００Ａの伝送ビットレートＢＲ２を、ＴＲａからＴＲｂに変更して、データ圧縮部１２１-1〜１２１-ｎおよびスイッチ部１２２の動作を制御する。
【０３１９】
また、上述のように送信装置１００Ａから受信装置２００Ａに(ｂ)経路で映像信号の送信が行われる状態となった後に、さらに、この（ｂ）経路を遮断する位置に人などの障害物が入ってきた場合、送信装置１００Ａは、図２６のテーブルを参照して、次に伝送ビットレートが大きな（ｃ）経路で送信を行う状態となる。このとき、送信装置１００Ａの制御部１３１は、無線伝送路３００Ａの伝送ビットレートＢＲ２を、ＴＲｂからさらにＴＲｃに変更して、データ圧縮部１２１-1〜１２１-ｎおよびスイッチ部１２２の動作を制御する。
【０３２０】
このように、送信装置１００Ａから受信装置２００Ａまでの送信経路が変更される場合、テーブルに基づいて、無線伝送路３００Ａの伝送ビットレートＢＲ２が変更されることで、データ圧縮部１２１-1〜１２１-ｎおよびスイッチ部１２２の動作が制御され、送信経路が変更されても、送信装置１００Ａから受信装置２００Ａに映像信号を良好に送信できる。
【０３２１】
図２７は、この発明のさらに他の実施の形態としての光通信システム５０Ｃの構成例を示している。この図２７において、図２３と対応する部分には同一符号を付して示している。この光通信システム５０Ｃは、送信装置１００Ｂおよび受信装置２００Ｂが光ケーブル（光伝送路）３００Ｂで接続された構成とされている。
【０３２２】
送信装置１００Ｂは、図２３に示すワイヤレスシステム５０Ｂの送信装置１００Ａにおけるワイヤレス送受信部１３５が、光送受信部１３５Ｂに置き換えられた構成となっている。また、受信装置２００Ｂは、図２３に示すワイヤレスシステム５０Ｂの受信装置２００Ａにおけるワイヤレス送受信部２３３が、光送受信部２３３Ｂに置き換えられた構成となっている。この光送受信部２３３Ｂはビットエラーレート測定部２３３ａを備えている。
【０３２３】
図２７に示す光通信システム５０Ｃのその他は、図２３に示すワイヤレスシステム５０Ｂと同様に構成されている。詳細説明は省略するが、この光通信システム５０Ｃにおいても、ワイヤレスシステム５０Ｂと同様に動作し、同様の効果を得ることができる。
【０３２４】
なお、映像信号送信装置は、図１に示すＡＶシステム５０ではビデオカメラ１００であり、図２１に示すＡＶシステム５０Ａではディスクレコーダ４００およびオーディオアンプ５００の送信部、図２３に示すワイヤレスシステム５０Ｂでは送信装置１００Ａ、図２７に示す光通信システム５０Ｃでは送信装置１００Ｂである。また、映像信号受信装置は、図１に示すＡＶシステム５０ではテレビ受信機２００であり、図２１に示すＡＶシステム５０Ａではテレビ受信機６００およびオーディオアンプ５００の受信部、図２３に示すワイヤレスシステム５０Ｂでは受信装置２００Ａ、図２７に示す光通信システム５０Ｃでは受信装置２００Ｂである。しかし、この発明における映像信号送信装置および映像信号受信装置はこれらに限定されるものではなく、その他の機器の組み合わせであってもよい。
【０３２５】
また、上述実施の形態において、データ圧縮部１２１-1〜１２１-nおよびデータ伸長部２１９-1〜２１９-mの部分はハードウェアおよびソフトウェアのいずれでも実現できる。計算負荷の小さなコーデックの場合であれば、ソフトウェア処理で実現することも有効である。ハードウェアであれば固有の処理しか行えないが、ソフトウェアであれば複数の圧縮方式の処理を簡単に変更できる。
【産業上の利用可能性】
【０３２６】
この発明は、伝送路の伝送ビットレート内で、所望のビットレートの映像信号を良好に送信できるものであり、例えば、ビデオカメラ、ＤＶＤレコーダ、ＨＤＤレコーダ等の送信装置からテレビ受信機等の受信装置に、有線または無線の伝送路を介して映像信号を送信するＡＶシステム等に適用できる。
【図面の簡単な説明】
【０３２７】
【図１】この発明の実施の形態としてのＡＶシステムの構成例を示すブロック図である。
【図２】映像送信装置としてのビデオカメラの構成例を示すブロック図である。
【図３】Ｅ−ＥＤＩＤデータの構造例を示す図である。
【図４】Ｖｉｄｅｏ Ｓｈｏｒｔ 領域の映像データ例を示す図である。
【図５】Ｖｅｎｄｏｒ Ｓｐｅｃｉｆｆｉｃ領域のデータ構造例を示す図である。
【図６】映像フォーマットと伝送レートとの関係を示す図である。
【図７】Ｖｅｎｄｏｒ Ｓｐｅｃｉｆｆｉｃ領域の圧縮方式情報のデータ構造例を示す図である。
【図８】Ｖｅｎｄｏｒ Ｓｐｅｃｉｆｆｉｃ領域の圧縮方式情報の例を示す図である。
【図９】ビデオカメラの制御部によるデータ圧縮部およびスイッチ部の制御動作を説明するためのフローチャートである。
【図１０】ＡＶＩ InfoFrame パケットのデータ構造例を示す図である。
【図１１】ＡＶＩ InfoFrame パケットの圧縮方式と圧縮比のデータ例を示す図である。
【図１２】映像信号受信装置としてのテレビ受信機の構成例を示すブロック図である。
【図１３】送信装置（ビデオカメラ）から受信装置（テレビ受信機）にＨＤＭＩケーブルを介して映像信号を送信する場合における制御シーケンス例を示す図である。
【図１４】ソース機器のＨＤＭＩ送信部とシンク機器のＨＤＭＩ受信部の構成例を示すブロック図である。
【図１５】ＨＤＭＩトランスミッタとＨＤＭＩレシーバの構成例を示すブロック図である。
【図１６】ＴＭＤＳ伝送データの構造を示す図である。
【図１７】ＨＤＭＩ端子のピン配列（タイプＡ）を示す図である。
【図１８】ソース機器とシンク機器との間でＬＡＮ通信を行う通信部の構成例を示す接続図である。
【図１９】映像信号受信装置としてのテレビ受信機の他の構成例を示すブロック図である。
【図２０】テレビ受信機の制御部における、伝送路状態に応じたＥ−ＥＤＩＤの書き換え処理の処理手順を示すフローチャートである。
【図２１】この発明の他の実施の形態としてのリピータ機器を備えるＡＶシステムの構成例を示すブロック図である。
【図２２】ＤＰシステムの構成例を示すブロック図である。
【図２３】この発明の他の実施の形態としてのワイヤレスシステムの構成例を示すブロック図である。
【図２４】送信装置から受信装置に、無線伝送路を介して映像信号を送信する場合における制御シーケンス例を示す図である。
【図２５】送信装置から受信装置までの送信経路として複数の経路をとり得ることを説明するための図である。
【図２６】送信装置から受信装置に映像信号を送信する際に利用可能な経路と、その経路における無線伝送路における伝送ビットレートとの対応関係を示すテーブル例を示す図である。
【図２７】この発明の他の実施の形態としての光通信システムの構成例を示すブロック図である。
【符号の説明】
【０３２８】
５０，５０Ａ・・・ＡＶシステム、５０Ｂ・・・ワイヤレスシステム、５０Ｃ・・・光通信システム、１００・・・ビデオカメラ、１００Ａ，１００Ｂ・・・送信装置、１０１・・・ＨＤＭＩ端子、１０２・・・ＨＤＭＩ送信部、１０３・・・高速データラインインタフェース、１１１・・・制御部、１１１ａ・・・記憶部、１１２・・・ユーザ操作部、１１３・・・表示部、１１４・・・撮像レンズ、１１５・・・撮像素子、１１６・・・撮像信号処理部、１１７・・・コーデック、１１７ａ・・・信号変換部、１１８・・・記録再生部、１１９・・・ＨＤ、１２０・・・外部端子、１２１-1〜１２１-n・・・データ圧縮部、１２２・・・スイッチ部、１２３・・・イーサネットインタフェース、１２４・・・ネットワーク端子、１３０・・・外部装置、１３１・・・制御部、１３１ａ・・・記憶部、１３２・・・ユーザ操作部、１３３・・・表示部、１３４・・・再生部、１３４ａ・・・信号変換部、１３５・・・ワイヤレス送受信部、２００，２００′・・・テレビ受信機、２００Ａ，２００Ｂ・・・受信装置、２０１・・・ＨＤＭＩ端子、２０２・・・ＨＤＭＩ受信部、２０３・・・高速データラインインタフェース、２１１・・・制御部、２１１ａ・・・記憶部、２１２・・・ユーザ操作部、２１３・・・チューナ、２１５・・・アンテナ端子、２１６・・・切り替え器、２１６ａ・・・信号変換部、２１７・・・表示処理部、２１８・・・表示部、２１９-1〜２１９-m・・・データ伸長部、２２０・・・スイッチ部 、２２１・・・イーサネットインタフェース、２２２・・・ネットワーク端子、２２５・・・エラーパラメータ測定部、２３１・・・制御部、２３１ａ・・・記憶部、２３２・・・ユーザ操作部、２３３・・・ワイヤレス送受信部、２３３ａ・・・ビットエラーレート測定部、２３４・・・表示部、２３４ａ・・・信号変換部、３００・・・ＨＤＭＩケーブル、３００Ａ・・・無線伝送路、４００・・・ディスクレコーダ、５００・・・オーディオアンプ、６００・・・テレビ受信機
【図１】
0005593596.tif 000005
【図２】
0005593596.tif 000006
【図３】
0005593596.tif 000007
【図４】
0005593596.tif 000008
【図５】
0005593596.tif 000009
【図６】
0005593596.tif 000010
【図７】
0005593596.tif 000011
【図８】
0005593596.tif 000012
【図９】
0005593596.tif 000013
【図１０】
0005593596.tif 000014
【図１１】
0005593596.tif 000015
【図１２】
0005593596.tif 000016
【図１３】
0005593596.tif 000017
【図１４】
0005593596.tif 000018
【図１５】
0005593596.tif 000019
【図１６】
0005593596.tif 000020
【図１７】
0005593596.tif 000021
【図１８】
0005593596.tif 000022
【図１９】
0005593596.tif 000023
【図２０】
0005593596.tif 000024
【図２１】
0005593596.tif 000025
【図２２】
0005593596.tif 000026
【図２３】
0005593596.tif 000027
【図２４】
0005593596.tif 000028
【図２５】
0005593596.tif 000029
【図２６】
0005593596.tif 000030
【図２７】
0005593596.tif 000031